(57)【特許請求の範囲】
【請求項１】
小型カセットと大型カセットが選択的に装着できる記録再生装置であって、前記小型カセットを保持して取り出し可能な第１の位置から記録再生可能な第２の位置へ案内するカセットキャリアと、前記大型カセットの係止手段を有し前記カセットキャリアに相対的に移動可能なサブカセットキャリアと、前記カセットキャリアと前記サブカセットキャリアにそれぞれ弾性的に連結し、前記カセットキャリア及び前記サブカセットキャリアと相対的な移動が可能な中継部材とを備えたことを特徴とするカセットホルダー装置。
【請求項２】
前記カセットキャリアに搭載され前記サブカセットキャリアの位置を検出するカセット位置検知スイッチを設け、前記第１の位置での前記大型カセットの位置及び前記第２の位置での前記大型カセットの位置を検出可能に構成したことを特徴とする請求項１に記載のカセットホルダー装置。
【請求項３】
前記中継部材は、前記大型カセットの底面の一部を支えるカセット支持部を有していることを特徴とする請求項１に記載のカセットホルダー装置。
【発明の詳細な説明】
【０００１】
【発明の属する技術分野】
本発明は、記録再生装置などに使用されるテープカセットを記録再生可能な位置へ案内するカセットホルダー装置に関する。
【０００２】
【従来の技術】
カセットサイズの異なる複数のカセットを選択的に使用する装置においては、大型カセット及び小型カセットの大きさの差、特に奥行き方向の差を起因としてカセット取り出し時におけるユーザーの適切な掴み代の確保が問題となる。小型カセットに十分な掴み代を確保しようと設定すると、大型カセットではそれは飛び出しすぎてしまう。また大型カセットで十分な掴み代とすると小型カセットは掴み代が十分でないという問題を起こす。
【０００３】
そこで、これらの問題を解決する方法として、特開平９−１８０３２７号公報「カセット式記録再生装置」に記載の発明が提案されている。この発明は、図６５に示すように大きさ及び厚さの異なる複数種類のテープカセット１及び２を用いるカセット記録再生装置において、カセット排出機構の排出ストロークをテープカセットの厚みの差を利用して切り替える排出ストローク切替手段１７を備えたものである。そして、カセットイジェクト時でのカセット強制排出量を小型カセット１は大きく、大型カセット２は小さくするものである。
【０００４】
この発明のカセット式記録再生装置は、大きさＤ１、Ｄ２及び厚みＨ１、Ｈ２が異なる２種類のテープカセット１、２をカセット排出手段である同じカセット排出レバーを用いて排出するカセット排出機構１６とこれらのテープカセット１、２の厚みＨ１、Ｈ２の差を利用してそのカセット排出レバーによるカセット排出ストロークを切り替える排出ストローク切替手段１７を備えている。
【０００５】
そして図６５（Ａ）に示すように厚みＨ１が小さい小型テープカセット１のイジェクト時には、カセット排出レバーを用いたカセット排出機構１６による小型テープカセット１のカセットステージ６に対する矢印ａ‘方向への排出ストロークＳ１１を大きくし、カセットステージ６がカセット挿入位置へ復帰したイジェクト完了時点では、小型テープカセット１の後端１ｂのフロントパネル３外への突出量Ｌ１を大きくし、その後に、その小型テープカセット１の後端１ｂを手でつまんでフロントパネル３外へ容易に抜き取ることができる。なお、４はフロントパネル３の開口である。
【０００６】
一方、図６５の（Ｂ）に示すように、厚みＨ２が大きい大型テープカセット２のイジェクト時には、カセット排出レバーを用いたカセット排出機構１６による大型テープカセット２のカセットステージ６に対する矢印ａ‘方向への排出ストロークＳ１２を小さくし、カセットステージ６がカセット挿入位置へ復帰したイジェクト完了時点では、大型テープカセット２の後端２ｂのフロントパネル３外への突出量Ｌ５が過大にならないように、この突出量Ｌ５を十分小さくできるようにしたものである。
【０００７】
【発明が解決しようとする課題】
本発明が解決を図るための第１の課題は、従来のカセット排出機構が大型及び小型のカセット厚の差を利用した排出ストローク切替手段であるために、厚さの差のない同一厚さの大型及び小型カセットについては、適用が不可能であるという点である。本発明の第１の目的は、上記の問題点を解決するために成されたものであり、小型カセットを保持し案内する手段と大型カセットを保持する手段を独立に構成し、同じ厚さのカセットであっても大型カセットの移動ストロークを小型カセットの移動ストロークよりも少なくすることができるカセットホルダー装置を提供するものである。
【０００８】
本発明が解決を図るための第２の課題は、装置本体からの飛び出し量の差を少なくするのはカセット排出機構のストローク差を利用したものであるために、小カセットのカセットステージでの確実な保持を考えると小カセットの排出ストロークをそう大きくはできない。よって、大小カセット飛び出し量の差の吸収幅は小幅にとどまり、カセット差を全て吸収するといった大きな改善は無理である。
【０００９】
本発明の第２の目的は、上記の問題点を解決するために成されたものであり、大型カセットの水平移動で一時的移動を停止させるようにして大型カセットの水平移動量を小型カセットの水平移動量と異ならせ、結果大型カセットの取り出し時の飛び出し量を大幅に削減したカセットホルダー装置を提供するものである。
【００１０】
本発明が解決を図るための第３の課題は、装置本体からの飛び出し量の差を少なくするのはカセット排出機構のストローク差を利用したものであり、カセットを保持するカセットステージそのものは単一であるために、カセットステージでの小カセット及び大カセットの保持が十分でないという問題点があった。本発明の第３の目的は、上記の問題点を解決するために成されたものであり、大型カセットのカセットホルダーへの挿入量を小型カセットの挿入量よりも大きくして、大型カセットへのカセットホルダーでの保持を確実にしたカセットホルダー装置を提供するものである。
【００１１】
本発明が解決を図るための第４の課題は、従来のカセット排出機構が大型及び小型のカセット厚の差を利用した排出ストローク切り替え手段であるために、カセット排出ストロークの差を除けば大小カセットの水平方向の移動量は同じであり、カセットステージの移動量もまた同じである。よって、カセットステージのカセット挿入方向における底面の大きさは大型カセットの底面の大きさに比べて非常に狭く、姿勢を水平に維持するに十分な広さとはいえないという課題を有している。
【００１２】
本発明の第４の目的は、上記の問題点を解決するために成されたものであり、大型カセットを底面で支持する部材を、小型カセットを保持するカセットキャリアに対して相対移動可能に構成して、大型カセットを幅広く支持できるカセットホルダー装置を提供するものである。
【００１３】
【課題を解決するための手段】
本発明によるカセットホルダー装置は、小型カセットと大型カセットが選択的に装着できる記録再生装置であって、前記小型カセットを保持して取り出し可能な第１の位置から記録再生可能な第２の位置へ案内するカセットキャリアと、前記大型カセットの係止手段を有し前記カセットキャリアに相対的に移動可能なサブカセットキャリアと、前記カセットキャリアと前記サブカセットキャリアにそれぞれ弾性的に連結し、前記カセットキャリア及び前記サブカセットキャリアと相対的な移動が可能な中継部材とを備えたことを特徴とする。
【００１４】
【発明の実施の形態】
本発明の請求項１に記載の発明は、小型カセットと大型カセットが選択的に装着できる記録再生装置であって、前記小型カセットを保持して取り出し可能な第１の位置から記録再生可能な第２の位置へ案内するカセットキャリアと、前記大型カセットの係止手段を有し前記カセットキャリアに相対的に移動可能なサブカセットキャリアと、前記カセットキャリアと前記サブカセットキャリアにそれぞれ弾性的に連結し、前記カセットキャリア及び前記サブカセットキャリアと相対的な移動が可能な中継部材とを備えたことを特徴とする。
【００１５】
以下、本発明の実施形態について、図１〜図６４の図面を用いて説明する。
【００１６】
記録フォーマットが同じであるが記録時間の異なる複数のカセットを使用するシステムがいくつか存在する。本発明の実施例の場合もこの様なシステムの１つで、例えばサイズの異なる３つのカセット使用する場合として以下説明を進める。３つのカセットは、サイズの大きいほうからＬカセット、Ｍカセット、Ｓカセットと以下称する。
【００１７】
まずこの３つのカセットは、記録時間に対応してテープ長が異なり、結果リールへのテープ巻径がそれぞれ異なる。そのため、２つのリールのリール間ピッチもまたそれぞれ異なる。図２において、Ｌカセット１０１は前方中央部に２個の共通の位置決め孔１０１ｂ、１０１ｃを有している。他のＭカセット１０２、Ｓカセット１０３も同じ位置決め孔を有している。この位置決め孔を共通位置にして３つのカセットを配置すると、図２に示すように、供給リール１０１ｇと巻き取りリール１０１ｈ間に架張されたテープを引き出すための引き出しポストが挿入可能な開口部１０１ａ、１０２ａ、１０３ａが３つのカセットでほぼ同じ位置となる。これらの３つのカセットは、いずれも同じ厚さで構成されている。しかし図からわかるように、Ｍカセット１０２はＬカセット１０１の空間内にあり、Ｓカセット１０３はＭカセット１０２の空間内にある。また、左右方向では、中心線Ｙを中心に左右同一幅である。この図では、前面に架張する磁気テープを覆うフロントリッドを図示していないが、このフロントリッドを閉じた状態にロックするフロントリッドロック爪は、各カセットの前方左右位置１０１ｄ、１０１ｅ、１０２ｄ、１０２ｅ、１０３ｄ、１０３ｅにそれぞれ存在する。
【００１８】
図３、図４にてＬカセット１０１のフロントリッドロック機構を説明するが、基本的には、他のカセットＳカセット１０３、Ｍカセット１０２も同様の構成である。図２のＫ−Ｋから見た図が、図３及び図４である。Ｌカセット１０１のフロントリッドロック爪１０４は、軸１０４ｂを中心に回動自在に支持されており、図示しないバネにより矢印Ｌ方向に付勢されている。その先端にある爪部１０４ａがフロントリッド１０５の一部に係合してフロントリッド１０５を図３の状態にロックしている。これに対して、メカニズム側の解除爪１０６がＭ方向から進入してくると、フロントリッドロック爪１０４は、バネ（図示せず）に抗して時計方向に回動してＬカセットの側壁部１０１ｆに一端が当接して停止する。つまり、Ｌカセット１０１は、フロントリッドロック爪１０４を解除爪１０６と側壁部１０１ｆに挟まれた位置で停止し、位置が規定される。図５は、その解除爪１０６を含めて、メカニズム側の構成を表わしているが、詳細はメカニズムの構成の中で説明する。
【００１９】
この様な構成のＬカセット１０１、Ｍカセット１０２、Ｓカセット１０３をユーザーが取り出し可能な位置（取り出し可能な第１の位置）から記録再生可能な位置（記録再生可能な第２の位置）へそれぞれ直接案内が可能なカセットホルダー機構の構成について、図６以降の図を用いて説明する。図６は、このカセットホルダー機構の概観図で、主に全体の駆動機構を示している。機構は、左右に右側板１０７、左側板１０８と天面に天板１０９を備えてなる。左側板１０８に駆動源であるモータ１１０を含めて歯車機構１１１が構成されている事を除けば左側板１０８も右側板１０７と基本的には同じような構成を成している。後述するメインホルダーを案内するＬ字溝１０７ａとスライド孔１０７ｂ、１０７ｃを備える。天板１０９は、４本のネジ１５２によって、右側板１０７、左側板１０８に固定されている。Ｌカセット１０１、Ｍカセット１０２、Ｓカセット１０３は、Ｎ方向から挿入、または、取り出しが可能となっている。カセットを保持したメインホルダーは図示するＰ方向にまず水平に移動し、その後垂直に移動を行う。これによって、カセットを所定位置に強固に位置決めし、内包する磁気テープを引き出し、記録再生が可能な状態に移行することができる。無論、カセット取り出しは、矢印Ｐとは逆方向にまず上昇し、水平に後退後、Ｎの方向からユーザーが取り出すことが可能となる。
【００２０】
図７にカセットの取り出しや、挿入を行うカセット挿入案内機構１１２を示す。図７の状態は、カセットが装置に装着される以前の状態である。挿入案内機構１１２には、Ｌカセット１０１の横幅Ｇ３の幅とＬカセット１０１の厚さよりも若干大きい高さの開口部を有するフロントパネル１１３と、その開口部を覆うブラインダパネル１１４及び補助ブラインダ１１５が設けられている。またＳカセット１０３の横幅Ｇ３を挟んで両サイドにＳカセットガイド機構１１６、Ｍカセット１０２の横幅Ｇ２を挟んで両サイドにＭカセットガイド機構１１７が配置されている。Ｓカセットガイド機構１１６及びＭカセットガイド機構１１７は、左右に対称形状構成であり、それぞれ左右連動して上下に移動可能に構成されている。フロントパネル１１３は、中央部上下にくぼみ１１３ａ、１１３ｂを形成しているが、これは、カセットを掴みやすくするためのものである。
【００２１】
図８は、Ｌカセット１０１、Ｍカセット１０２、Ｓカセット１０３を保持して記録再生位置と取り出し可能位置間を往復移動するメインホルダー１１８の機構を示す図である。メインホルダー機構１１８は、コの字形状のカセットキャリアであるホルダー１１９とホルダー１１９の右側板部１１９ａ、左側板部１１９ｂを連結するスイッチ基板１２０とからなる。ホルダー１１９には、Ｓカセット１０３の横幅Ｇ３を挟んで両サイドにＳホルダーガイド機構１２１、Ｍカセット１０２の横幅Ｇ２を挟んで両サイドにＭホルダーガイド機構１２２が構成されている。またＬカセット１０１は、右側板部１１９ａ、左側板部１１９ｂによって案内されるが、Ｌカセット１０１に係合して前後に移動するサブホルダー機構１２３が右側板部１１９ａ、左側板部１１９ｂの近傍に設けられている。また、右側板部１１９ａ、左側板部１１９ｂにカセットを下方に押圧するカセット押さえ機構１２７が回動自在に構成されている。スイッチ基板１２０には、Ｓカセット１０３、Ｍカセット１０２、Ｌカセット１０１をそれぞれ検出可能なＳカセット検知スイッチ１２４、Ｍカセット検出スイッチ１２５、Ｌカセット検出スイッチ１２６が設けられている。
【００２２】
図９、図１０及び図１１は、前述のカセット案内機構１１２の構成図であり、図９は図７のＥ矢視図である。Ｓカセットガイド機構１１６は、Ｓカセットガイド（Ｓ）１２８とＳカセットガイド（Ｔ）１２９が、ガイド基板１３１に植設されたガイド軸１３０にそれぞれ回動自在に支持されている。同様にＭカセットガイド機構１１７は、Ｍカセットガイド（Ｓ）１３３とＭカセットガイド（Ｔ）１３２がガイド軸１３０に回動自在に支持されている。そして、Ｓカセットガイド（Ｓ）１２８とＭカセットガイド（Ｓ）１３３は、ガイド軸１３０を中心に図示しないバネにより反時計方向に付勢されている。同様に、Ｓカセットガイド（Ｔ）１２９とＭカセットガイド（Ｔ）１３２もガイド軸１３０を中心に図示しないバネにより時計方向に付勢されている。
【００２３】
図９は、バネによりＳカセットガイド（Ｓ）１２８、Ｓカセットガイド（Ｔ）１２９、Ｍカセットガイド（Ｔ）１３２、Ｍカセットガイド（Ｓ）１３３共に、上方に突出した状態である。
【００２４】
図１０は、Ｍカセット１０２を挿入する時の状態で、Ｓカセットガイド（Ｓ）１２８、（Ｔ）１２９が、バネに抗して降下し、Ｍカセットガイド（Ｓ）１３３、（Ｔ）１３２は、バネによって上昇した状態である。
【００２５】
また図１１はＬカセット１０１を挿入した時の状態である。Ｓカセットガイド（Ｓ）１２８、Ｓカセットガイド（Ｔ）１２９、Ｍカセットガイド（Ｔ）１３２、Ｍカセットガイド（Ｓ）１３３は何れもバネに抗して降下している。ガイド基板１３１に植設された２本のスライド軸１３４、１３５にスライド板Ｓ１３６、スライド板Ｍ１３７が上下にスライド可能に支持されている。このスライド板Ｓ１３６、Ｍ１３７には、傾斜溝１３６ａ、１３６ｂ、１３７ａ、１３７ｂが形成されている。よって、スライド板Ｓ１３６、Ｍ１３７は、傾斜してスライドする。
【００２６】
図３３は、図１０のＷ方向から見た図で、理解を容易にするために、Ｓカセットガイド機構１１６は省略してある。スライド板Ｍ１３７の一方には、アーム軸Ｍ（Ｓ）１３９が植設されており、そのアーム軸Ｍ（Ｓ）１３９は、Ｍカセットガイド（Ｓ）１３３の溝部１３３ａに係合している。同様にスライド板Ｍ１３７の他方にはアーム軸Ｍ（Ｔ）１３８が植設され、Ｍカセットガイド（Ｔ）１３２の溝部１３２ａに係合している。スライド板（Ｓ）１３６にも両端にアーム軸Ｓ（Ｓ）１４１、アーム軸Ｓ（Ｔ）１４０が植設されている。そしてそれぞれＳカセットガイド（Ｓ）１２８、Ｓカセットガイド（Ｔ）１２９の溝部１２８ａ、１２９ａに係合している。この様にして、Ｓカセットガイド（Ｓ）１２８、スライド板Ｓ１３６、Ｓカセットガイド（Ｔ）１２９は連結している。同様にＭカセットガイド（Ｓ）１３３、スライド板Ｍ１３７、Ｍカセットガイド（Ｔ）１３２もまた連結している。
【００２７】
次に、駆動機構を説明する。図１５に示す様に、モータ１１０の出力は、歯車機構１１１を介してウォーム軸１４２に伝えられる。ウォーム軸１４２は、両端を回転自在に支持され、中央部でウォーム歯車１４３を一体的に構成している。このウォーム歯車１４３にはラックが歯合している。このラックは、相手がウォームであるため、ウォームの進み角だけねじれ角を有した、いわゆるハスバ歯形となっている。つまり、ラックはハスバラック１４５である。これで、ウォームとラックの組み合わせでありながら、スムーズに駆動力の伝達が可能である。このハスバラック１４５は、メインラック板（Ｓ）１４４に植設された２本のハスバラック軸２３９にガイドされてスライド自在に支持されている。そして、ラックバネ１４６により、ハスバラック１４５はＡ方向に付勢されている。
【００２８】
メインラック板（Ｓ）１４４には、傾斜溝（Ｆ）１４４ａ、傾斜溝（Ｒ）１４４ｂと中央上部に同期軸１４７を回動自在に支持するための軸受け１４８を備えている。左側板１０８にはＬ字溝１０８ａと２本のスライド孔１０８ｂ、１０８ｃが構成されているが、図１３、図１４にも示す様にスライド孔１０８ｃには、同期軸１４７に回転自在に支持された同期軸カラー１４９が係合している。さらにＬ字溝１０８ａには、図５８に示すようにホルダー軸Ａ１５０がメインラック板（Ｓ）１４４の傾斜溝（Ｒ）１４４ｂを貫通して係合している。ホルダー軸Ａ１５０にはホルダー軸カラー１５８、１５９が構成されており、１５８はメインラック板（Ｓ）１４４の傾斜溝（Ｒ）１４４ｂに、１５９はＬ字溝１０８ａに係合している。このホルダー軸Ａ１５０は、図１６に示すようにホルダー１１９にボスＡ１５５の位置にて回動自在に支持された圧着板１５４に植設されている。圧着板１５４は、一端に係合した圧着バネ１６０によって時計方向に付勢されて、図１６の状態で圧着板１５４の一部がホルダー１１９に当接して位置が規制されている。
【００２９】
図１８及び図２１にて、駆動機構をさらに詳細に説明する。モータ１１０の出力軸に固着されたモータギア１６５、中継ギア１６６、出力ギア２３０、カサ歯車（Ａ）１６７、カサ歯車（Ｂ）１６８と連結しており、モータ出力が伝達されていく。出力ギア２３０とカサ歯車（Ａ）１６７は一体構成である。カサ歯車（Ａ）１６７とカサ歯車（Ｂ）は９０度の角度で噛み合っている。カサ歯車（Ｂ）１６８は、ウォーム軸１４２に圧入されており、ウォーム歯車１４３と一体的に回転する。同期軸１４７の両端には差動ギア（Ｓ）１６１と差動ギア（Ｔ）１６２が一体的に構成されている。そして、それぞれ、右側板１０７と左側板１０８に固定された、固定ラック（Ｓ）１６３と固定ラック（Ｔ）１６４に歯合している。
【００３０】
ハスバラック１４５とともにメインラック板（Ｓ）１４４が移動すると、メインラック板（Ｓ）１４４に設けられた軸受け１４８によって同期軸１４７が移動させられる。この時に同期軸１４７に差動ギア（Ｓ）１６１が一体的に構成されているために、固定ラック（Ｓ）１６３によって差動ギア（Ｓ）１６１と同期軸１４７は回転させながら移動する、つまり転動することとなる。その回転力は、差動ギア（Ｔ）１６２に伝達され、その回転力で、固定ラック（Ｔ）１６４に対して相対的に移動する力となり、同期軸１４７の差動ギア（Ｔ）１６２側を移動させる。
【００３１】
その結果、同期軸１４７を支持するメインラック板（Ｔ）２３１を移動させる。このようにして、左右のメインラック板（Ｓ）１４４、（Ｔ）２３１は同期して移動することができる。メインラック板（Ｓ）１４４とメインラック板（Ｔ）２３１は、蹴り出しプレート１７５のラック固定部１７５ａ、１７５ｃにネジ固定されているために、左右のメインラック板（Ｓ）１４４、（Ｔ）２３１と蹴り出しプレート１７５と一体構成である。
【００３２】
一方、図１６、図１７は、カセットをユーザーが取り出し可能な状態を示す。図示するようにホルダー１１９に植設されたホルダー軸Ｂ１５１は、同様にメインラック板（Ｓ）１４４の傾斜溝（Ｆ）１４４ａにのみホルダー軸カラー１５６を介して係合している。メインラック板（Ｓ）１４４に植設されたラック板軸１５３が、同様にラック板カラー１５７を介してスライド孔１０８ｂに係合している。
【００３３】
図５６にも示す様に、メインラック板（Ｓ）１４４の同期軸１４７に支持された同期軸カラーとラック板軸１５３に支持されたラック板カラー１５７の２つのローラが左側板１０８のスライド孔１０８ｂ、１０８ｃにそれぞれ係合しているため、左側板１０８に対するメインラック板（Ｓ）１４４の姿勢が保持されている。
【００３４】
そして、図５７に示すように、メインラック板（Ｓ）１４４の傾斜溝（Ｆ）１４４ａと傾斜溝（Ｒ）１４４ｂにホルダー軸Ａ１５０のホルダー軸カラー１５８とホルダー軸Ｂ１５１のホルダー軸カラー１５６が係合しているため、ホルダー１１９はメインラック板（Ｓ）１４４に対して傾斜溝（Ｆ）１４４ａ、傾斜溝（Ｒ）１４４ｂに沿ってスライド自在に保持されている。その一方で、ホルダー軸Ａ１５０のホルダー軸カラー１５９は、さらに左側板１０８のＬ字溝１０８ａにも係合している。そのため、図５６で示すようにこのＬ字溝１０８ａと傾斜溝（Ｒ）１４４ｂが交差した位置にホルダー軸Ａ１５０は保持される。ホルダー軸Ａ１５０の位置が決まれば、ホルダー軸Ｂ１５１の位置は、傾斜溝（Ｒ）１４４ｂの範囲内において位置が一義的に決まる。
【００３５】
よって、ホルダー１１９もまた、左側板１０８に対して姿勢が規制されることとなる。つまり、左側板１０８に対して前後にスライド自由に保持されているメインラック板（Ｓ）１４４の位置によってホルダー１１９の姿勢及び位置が規定される。特にホルダー軸カラー１５９がＬ字溝１０８ａの水平部にある区間（図５６のＲの範囲）では、ホルダー１１９は、メインラック板（Ｓ）１４４と一体的に動く。Ｒの範囲を超えると、ホルダー１１９は、傾斜溝（Ｆ）１４４ａ、傾斜溝（Ｒ）１４４ｂに沿って、下降していく。
【００３６】
Ｌカセット１０１は、サイズが最も大きく、通常のカセット押さえでは十分なカセット押さえ力が発生しない。よって、Ｌカセットのみ、カセット後方を補助的に押さえる補助押さえ機構を設けている。この機構について説明する。補助押さえ基板１７３に設けられたボスＡ１５５は、ホルダー１１９の左側板部１１９ｂに植設された軸（図示せず）に嵌合し、補助押さえ基板１７３を回動自在に支持している。補助押さえ基板１７３には、メインラック板（Ｓ）に植設された補助押さえカムピン１７６に係合するカム部１７３ａが一端に形成されている。他端には、連結軸１７４を介して補助押さえ板１６９が回動自在に支持されている。
【００３７】
この補助押さえ板１６９には、補助押さえローラ１７０を備えた補助押さえ軸１７１が設けられている。また補助押さえ板１６９と補助押さえ基板１７３間には補助押さえバネ１７２が形成されているため、この補助押さえバネ１７２によって外部からの力が加わらない状態では、図１６に示す位置関係で補助押さえ板１６９の位置と姿勢は保持される。なおこの補助押さえ機構は、カセット両側に左右対称に構成されている。
【００３８】
次に、図８に示したカセットを案内するカセットホルダー機構について、さらに詳細に図２３及び図２４にて説明する。特にＬカセット１０１、Ｍカセット１０２、Ｓカセット１０３の３つのカセットをホルダー内でそれぞれ所定の位置に挿入保持するためのカセットガイド機構について、説明する。図２に示したように３つのカセットは、中心線Ｙを中心に左右対称に配置しなければならない。よって、各カセットの側面をガイドするガイド機構が設けられている。図２３、図２４では、各カセットの右側面部の案内を行うＳホルダーガイド機構１２１とＭホルダーガイド機構１２２を説明する。
【００３９】
Ｍホルダーガイド機構１２２はカセット挿入方向と平行なＭガイド軸１９８で回動自在なＭホルダーガイド（Ｔ）１９６とＭリッドロック解除爪レバー１９７によって成されるものである。Ｍガイドバネ１９９によってＭホルダーガイド（Ｔ）１９６とＭリッドロック解除爪レバー１９７は、Ｑ方向に付勢されている。また、Ｍカセット１０２に設けられたリッドロック爪によるフロントリッドのロックを解除するためのＭリッドロック解除爪レバー１９７が前記Ｍガイド軸１９８にスライド自在に構成されている。そして、爪付勢バネ２３３によってＭリッドロック解除爪レバー１９７は、矢印Ｒ方向に付勢されている。Ｍリッドロック解除爪レバー１９７はまた、規制部１９７ａとによってＭホルダーガイド（Ｔ）１９６と回動方向において一体的に回動するよう構成している。よってＭホルダーガイド（Ｔ）１９６は、Ｍガイド軸１９８を中心に回動するだけであるが、Ｍリッドロック解除爪レバー１９７はＭガイド軸１９８を中心に回動とともに軸方向にスライドも可能である。
【００４０】
Ｓカセット１０３をガイドするＳホルダーガイド機構１２１も基本的にはＭホルダーガイド機構と同じであるが、Ｓホルダーガイド機構１２１には、Ｓリッドロック解除爪レバー１９４とともにＳガイド軸１９５に沿って前後にスライドするＳ／Ｍ挿入検知レバー２３２が構成されている。このＳ／Ｍ挿入検知レバー２３２の一端に爪付勢バネ（図示せず）が構成され、Ｓ／Ｍ挿入検知レバー２３２とＳリッドロック解除爪レバー１９４をＲ方向に付勢している。２００は、Ｓ／Ｍ挿入検知スイッチで、Ｓカセット１０１もしくはＭカセット１０２が挿入されたことを報知するスイッチである。Ｍホルダーガイド（Ｔ）１９６はＭカセット挿入側に傾斜面１９６ｂを、Ｓホルダーガイド（Ｔ）１９３には傾斜面１９３ｂが形成され、ガイドすべきカセットよりも大きなカセットが挿入されるときに挿入の障害とならないよう大きなカセットの挿入により押し下げられるように構成している。
【００４１】
Ｍホルダーガイド機構１２２の側部には、サブホルダー機構１２３が設けられている。サブホルダー機構１２３は、ホルダー１１９の底面に配置され、２本のホルダーガイドピン１８９によってホルダー１１９に対して前後にスライド自在に支持された中継部材であるサブホルダープレート１８１と、そのサブホルダープレート１８１に対してスライド自在に支持されたサブカセットキャリアであるＬリッドロック解除爪レバー１９１からなる。サブホルダー１８１は、通常サブホルダーバネ１８０によって、Ｕ方向に付勢されている。
【００４２】
また、Ｌリッドロック解除爪レバー１９１は、Ｌカセット１０１のフロントリッド１０５のロックを行うフロントリッドロック爪１０４に相対してロックを解除するロック解除爪１９１ｄをサブホルダープレート１８１及びホルダー１１９を貫通してカセット空間に露出している。そして、解除爪バネ１９０によってサブホルダープレート１８１に対してＶ方向に付勢されている。よって通常は、サブホルダープレート１８１は、ホルダーガイドピン１８９にガイド孔１８１ｂの一端が係止した図２３の位置関係にある。
【００４３】
同様にＬリッドロック解除爪レバー１９１はロック解除爪１９１ｄが、サブホルダープレート１８１の爪規制孔１８１ｃの一端に係止した図２３の位置関係にある。１９２は、Ｌカセットが挿入されたことを報知するＬ挿入検知スイッチ（カセット位置検知スイッチ）である。
【００４４】
図１９に示すように、ホルダー１１９には、左側面部１１９ｂ及び右側面部１１９ａに植設されたアーム支軸１７８に回動自在に支持されたカセット押さえアーム１７９が構成されている。カセット押さえ軸１７７の両端部をカセット押さえアーム１７９が支持しており、図示しないバネにより図２３のＳ方向に付勢されて図１９のホルダー１１９の当接部１１９ｇにカセット押さえ軸１７７の一部が当接している。
【００４５】
カセット押さえ軸１７７には、Ｌカセット１０１を押さえるＬ押さえローラ１８３、Ｍカセット１０２を押さえるＭ押さえローラ１８４、Ｓカセット１０３を押さえるＳ押さえローラ１８５が回動自在に構成されている。またカセット押さえ軸１７７には、カセットの種別を検出する回動自在な検出アームである、Ｌ検出アーム１８６、Ｍ検出アーム１８７、Ｓ検出アーム１８８が構成されている。これら検出アームは図２３のＰ方向に図示しないバネにより付勢されている。この検出アームに対応してＬカセット検知スイッチ１２６、Ｍカセット検知スイッチ１２５、Ｓカセット検知スイッチ１２４が検知スイッチＰ板１８２に固定されて設けられている。
【００４６】
図３４は、すでに記録再生位置にカセットがあるときに、他のカセットを間違って挿入しないようにするためのカセット２重挿入防止を説明する図である。図３４はカセット挿入側から見た図であるが、すでに１つのカセットが記録再生可能位置にある場合の構成である。Ｓカセットガイド（Ｓ）１２８、（Ｔ）１２９、Ｍカセットガイド（Ｓ）１３３、（Ｔ）１３２は、バネによって、上方位置にある。これは、カセットが挿入されていない状態と同じである。ブラインダパネル１１４もまたカセットが挿入されていない状態と同様、バネによってカセット開口部を覆っている。しかし、図７でブラインダパネル１１４の中央の切り欠き部にあった補助ブラインダ１１５の位置には、挿入防止パネル２０４が位置している。
【００４７】
この構成をさらに詳細に図３５及び図３６にて説明する。ガイド基板１３１にネジ固定されたパネルガイドプレート２０５は、挿入防止パネル２０４の周囲を覆う構成であり、挿入防止パネル２０４を上下にスライド可能に支持している。挿入防止パネル２０４の中央部には、係合長孔２０４ａが形成され、パネル駆動レバー２０６の一端に植設されたパネル駆動軸２１１に係合している。パネル駆動レバー２０６はパネルガイドプレート２０５の植設されたレバー軸２０９に回動自在に支持されており、他端に駆動アーム２０７の駆動ピン２０８に係止可能な当接部２０６ａを有している。
【００４８】
また、この駆動アーム２０７は、右側板１０７に植設されたアーム支軸２１２に回動自在に支持され、同じく右側板１０７に植設された２本のアームガイド軸２１０に位置規制されている。通常パネル駆動レバー２０６は、Ｚ方向にバネによって付勢されており、挿入防止パネル２０４は図３５に示すように上方に位置している。そのため、ブラインダパネル１１４にブラインダ軸１１５ａ、１１５ｂによって回動自在に支持された補助ブラインダ１１５は、挿入防止パネル２０４によって後方へ回動させられている。
【００４９】
よって、図３４の状態では、ブラインダパネル１１４の下方には補助ブラインダ１１５ではなく挿入防止パネル２０４が位置している。ブラインダパネル１１４は、パネル支軸によりフロントパネル１１３に回動自在に支持されている。そして図示しないバネによってＸ方向に付勢されている。また補助ブラインダ１１５も図示しないバネによってＹ方向に付勢されている。
【００５０】
図３７に、ブラインダ駆動機構を示す。右側板１０７に植設された軸によって、ブラインダ駆動レバー２１３と連結アーム２１４は、軸受け孔２１３ａ、２１４ａを中心に回動自在に支持されている。連結アーム２１４は、一端がブラインダ駆動レバー２１３に係合し、他端の駆動ピン部２１４ｂがブラインダパネル１１４に当接している。この駆動機構によって、ブラインダパネル１１４と補助ブラインダ１１５をバネに抗して回動させ、カセット挿入口を開放する。
【００５１】
図４０に示すのは、カセット蹴り出し機構である。いずれのカセットも、カセットがカセットホルダーに挿入されたことを電気的に検出してモータに通電し駆動を行う。このカセットの検出は、カセットとホルダーの相対位置関係で検出しているために、カセットがカセットホルダーと一体的に動いている間は、カセット検出は「カセットが入っている」というスイッチ状態が続く。
【００５２】
よって、カセット取り出しスイッチでホルダーを記録再生位置から取り出し位置へ移動させた状態と、新たにカセットを挿入した状態は電気的には同じになって区別が出来ない。カセット取り出し指令でホルダーをカセット取り出し位置へ移送したならば、何らかの形で強制的にこの「カセットが入っている」というスイッチをＯＦＦにさせなければいけない。そのためには、カセットをホルダーに対して相対的に取り出し方向にスライドさせる必要がある。その機構がこれから説明するカセット蹴り出し機構である。よって、カセットサイズに関係なく全てのカセットは少なくともスイッチが切れるに必要なストロークは蹴り出してやらなければいけない。
【００５３】
このカセット蹴り出し機構は、図２１の蹴り出しプレート１７５の蹴り出し機構配置部１７５ｄ、１７５ｅに左右対称位置に構成されている。以降は、１７５ｄの位置に設けられた蹴り出し機構を説明する。基本的には遊星機構を採用している。図４１に主要な部品の分解斜視図が示されているが、蹴り出しプレート１７５に植設されたアーム軸２２１には、軸受けボス２２０を一端に設けた遊星アーム２１６が回動自在に支持されている。遊星アーム２１６は、中央部に遊星ギア２２４を回転自在に支持する遊星ギア軸２１５を植設している。また同様に蹴り出しローラ２１８を回転自在に支持している蹴り出しピン２１７を植設している。
【００５４】
蹴り出しローラ２１８は、各カセットの移動空間まで延伸しており、カセットのフロントリッドに係合することが可能である。２２３は固定ギアで、遊星ギア２２４に歯合して、蹴り出しプレート１７５に固定ネジ２２５にて固着されている内歯のギアである。遊星アーム２１６の軸受けボス２２０の外周部を基準にして回動可能な蹴り出しカム２１９と中継アーム２２２が構成されている。蹴り出しカム２１９は、遊星ギア２２４に歯合するギア部２１９ｃと、略三角形状のカム部２１９ａと、中継アーム２２２の突起部２２２ｃの端面に当接する当接部２１９ｂとからなる。また中継アーム２２２は、略三角形状のカム部（Ａ）２２２ａとカム部（Ｂ）２２２ｂが形成されている。図４２は、カセットが挿入される前の状態であり、中継アーム２２２は、図示しないバネにより、時計方向に付勢されている。
【００５５】
よってその付勢力で突起部２２２ｃが蹴り出しカム２１９の当接部２１９ｂを押圧、遊星ギア２２４を介して遊星アーム２１６をも時計方向への回転力を受ける。その回転で遊星アーム２１６の先端部は、蹴り出しプレート１７５の一部に当接し、停止している。図５９は、Ｍカセット１０２がホルダー１１９に挿入された状態を示すが、Ｍカセット１０２のフロントリッドによって、蹴り出しローラ２１８が押圧され遊星アーム２１６を回動させ図の位置にある。巻き取りリール側の蹴り出し機構は、ギアの構成が遊星機構でなく平歯車の組み合わせになっているが、基本的な構成は供給リール側の蹴り出し機構と同じで対称な動作を行うので詳細な説明は割愛する。
【００５６】
蹴り出しアーム２３７は、Ｍカセット１０２の挿入で時計方向に回転し、図５９の位置関係となる。蹴り出しアーム２３７と遊星アーム２１６は同位相でお互いに逆方向に回動をする。また蹴り出しアーム２３７と遊星アーム２１６の回動中心から蹴り出しローラ２１８までの長さは同じであるため、同位相で回動すれば、常にカセット進入方向においてそれぞれの蹴り出しローラ２１８は同じ位置にある。２２６は蹴り出しカムピンで、２２７は退避カムであり、左右対称形状でカセット進入方向において同一位置にいずれも天板１０９に固着して設けられている。
【００５７】
蹴り出しカムピン２２６は、図４３にあるように単純な円筒形状で、図４１に示す中継アーム２２２のカム部（Ｂ）２２２ｂにのみ係合できる長さの軸である。一方退避カム２２７は図４８にあるようにＬ字型形状をなし、カム面（Ａ）２２７ａは中継アーム２２２のカム部（Ｂ）２２２ｂと蹴り出しカム２１９のカム部２１９ａにも係合できる長さを有している。
【００５８】
図５４と図５５にて、カセットラベル視認機構を説明する。カセットが記録再生位置にあるときにそのカセットがどんなカセットであるかを知るには、カセットを取り出してラベルを確認するしかないが、これを取り出さずに確認しようとするのが、カセットラベル視認機構である。図６に示す、天板１０９に反射ミラー２２８を固着させる。次にＬカセットが垂直移動する際に蓋開放による後方への移動を阻止する背面ガイド２３４に確認ミラー２２９を固着させる。図３４に示すように、カセットが記録再生位置にあるときには、カセット開口部は、ブラインダパネル１１４と挿入防止パネル２０４によって完全に覆われている。これらは、バネによってその位置を保持されているので、ユーザーが容易にブラインダパネル１１４と挿入防止パネル２０４を操作して開口部を開放することができる。それによって確保された開口部空間から覗いたときに、図５５に示すように、Ｆの視覚範囲でＬカセット１０１のラベルエリアの大半を視認できることがわかる。
【００５９】
以上の構成のカセットホルダー機構についてその動作を以下説明する。まず、カセットの移動軌跡について、図２５及び図１で説明する。図２５は、カセットが、取り出し可能位置と記録再生可能位置を側面から示した図である。（ａ）は、Ｓカセット１０３とＭカセット１０２を便宜上重ねて表示したものである。Ｓカセット１０３ｓ、Ｍカセット１０２ｓ（実線で示す）はそれぞれのカセットをホルダー１１９に挿入した位置である。この状態からカセットを水平方向に寸法Ａだけ移動し、寸法Ｔだけ垂直方向に移動した結果が想像線で示すＳカセット１０３ｐとＭカセット１０２ｐである。
【００６０】
Ｍ１、Ｍ２で示す線は、各カセットの位置決め孔（Ｌカセット１０１では図２に示す１０１ｂ、１０１ｃ）を示すものである。この位置決め孔は記録再生位置では全てのカセットで共通であるため、今Ｌカセットの記録再生時での位置をＭ２の位置に合わせて１０１ｐとし、水平方向の移動量をＡ、垂直方向の移動量をＴとすると、当然図（ｂ）のように、カセット挿入位置は、実線で示す１０１ｓとなる。カセットは、取り出し時にすでに説明したようにカセット蹴り出し機構でホルダーの移動量よりも少しだけ多く水平移動を行う。
【００６１】
その蹴り出し量を仮にＨとおく。そうすると最も小さいカセットＳカセット１０３は、カセット取り出し時には、（ａ）に示す想像線となり、フロントパネル１１３のくぼみ１１３ａ、１１３ｂの底面位置１１３ｃからＪ１だけ突出した位置になる。Ｍカセット１０２は、長さＪ２となり、Ｌカセット１０１は長さＪ３となる。これは、それぞれカセットの大きさの差がそのまま長さ差になっている。
【００６２】
最も小さいカセットであるＳカセット１０３では、その長さＪ１を取り出すに必要な最低限の長さを確保すると、Ｌカセット１０１での飛び出し長さＪ３はカセットのサイズ差分だけ長くなり、非常に大きな飛び出し量となる。この様な大きな飛び出し量Ｊ３は、フロントパネル１１３の前の空間を非常に大きく必要とする。例えば、カセットを多数収納して、必要なカセットを自動的に選択して装置に送り込むいわゆる、カートマシンでは、待機すべきカセット２０１とフロントパネル１１３の距離をＪ４としたときには、当然Ｊ４＞Ｊ３という関係でなくてはならない。そのため、そのままカートマシンの大型化を招く事となる。
【００６３】
また、実線で示す１０１ｓの位置がカセット吸い込みスタートの位置となるが、Ｌカセット１０１はＪ３−Ｈだけ飛び出しているので、ユーザーが無理にカセットを挿入しても装置が破壊しないように防止するために設ける挿入方向のダンパーストロークも非常に大きくなりメカニズムの構成が非常に難しくなる。
【００６４】
その様な問題を解決する為には、水平方向のストロークを減らすことが必要である。そこで、本発明では、（ｃ）に示すようにＬカセット１０１の蹴り出し完了位置をＭカセット１０２と同じとした。これによって、Ｌカセット１０１を使用することによる寸法的なデメリットは解消される。これを実現するには、Ｌカセット１０１の場合だけ水平ストロークを他のカセットの水平ストロークＡよりもＣだけ短くしてＢとしなければいけない。その様な基本的な考え方に沿って、Ｌカセット移動機構の考え方を示したのが図１である。
【００６５】
この図では、中心線を挟んで上にＭカセット１０２を下にＬカセット１０１を重ねて表示した。水平移動のストロークについての説明なので、垂直移動は割愛した。図１の（ａ）は、図２５の（ａ）と同じ、ホルダー１１９へカセットを挿入完了し挿入完了のスイッチが動作する位置である。図１の（ｇ）は蹴り出し完了位置であり、Ｍカセット１０２ｋとＬカセット１０１ｋの背面が同一面になっていることがわかる。図１の（ｆ）は蹴り出し直前の位置で（ａ）と同じ位置関係である。
【００６６】
今、Ｌカセット１０１の蹴り出しストロークを１１．５ｍｍ、Ｍカセット１０２の蹴り出しストロークを１４ｍｍとすると、（ａ）でのＬカセット１０１ｃとＭカセット１０２ｃの背面は相対的に２．５ｍｍの差がある。その状態から、水平全ストロークＡに対してＢだけ移動後、Ｌカセット１０１は、その位置１０１ｄで停止する。Ｍカセット１０２は、全ストロークＡだけ移動し１０２ｄから１０２ｅへと至る。ＬカセットはＣ＝Ａ−Ｂの区間は停止しているので、１０１ｅも１０１ｄと同じ位置である。
【００６７】
この後垂直移動に移る。記録再生可能位置でのＬカセット１０１とＭカセット１０２の相対位置関係は、（ｃ）の位置関係である。再びカセット取り出し指令に従ってカセットが上昇を完了した位置は、（ｃ）の位置である。この位置からストロークＤだけＭカセット１０２、Ｌカセット１０１は後退し、１０２ｆ、１０１ｆの位置となる。この位置で、再びＬカセット１０１を停止させる。その停止間にＭカセットは１０２ｆから１０２ｇへとストロークＣだけ移動する。
【００６８】
そのストローク移動が完了して（ｅ）の位置関係になったら、Ｌカセット１０１の停止を解除する。よって以降再びＭカセットと同様ストロークＦだけ移動し、Ｌカセットは１０１ｈにＭカセットは１０２ｈに至る。この移動ストローク間中に蹴り出し機構が作用して、Ｍカセット１０２は１４ｍｍ、Ｌカセット１０１は１１．５ｍｍけりだされ、（ｇ）の位置に至る。この位置でカセット取り出し操作は完了する。つまり、Ｍカセット１０２がＡだけ水平移動する間にＬカセット１０１を一時的にＣだけ停止させる区間を設けるのである。これによって、Ｌカセット１０１は水平移動ストロークをＢ（＝Ａ−Ｃ）に減らすことができる。
【００６９】
この様な考え方に沿ったカセットホルダー機構の動作を以下説明する。Ｍカセット１０２をカセット取り出し位置から記録再生位置に案内する場合について説明する。図７の状態で、Ｍカセット１０２を挿入する。この図７の状態では、駆動アーム２０７がホルダー駆動機構によって、図３５のＧ方向に最大回動しているために、駆動ピン２０８がパネル駆動レバー２０６を反時計方向（Ｚ方向と逆方向）に回動させ挿入防止パネル２０４をバネに抗して図３８の如く押し下げている。よって、挿入防止パネル２０４はＭカセット１０２の挿入空間外にありＭカセット１０２の挿入の障害となることはない。また、フロントパネル１１３のカセット開口部には、ブラインダパネル１１４と補助ブラインダ１１５が位置している。特に補助ブラインダ１１５は、図３８にあるように挿入防止パネル２０４の上方に位置してブラインダパネル１１４の切り欠き部１１４ｂを覆っている。
【００７０】
Ｍカセット１０２の横幅は、Ｇ２である。よって、Ｍカセットガイド機構１１７に沿って案内されながら挿入することとなる。Ｓカセットガイド（Ｓ）１２８、Ｓカセットガイド（Ｔ）１２９は、Ｍカセットガイド（Ｓ）１３３、Ｍカセットガイド（Ｔ）１３２よりも少しだけ奥に位置している。よって、まずＭカセット１０２は、Ｍカセットガイド（Ｔ）１３２、Ｍカセットガイド（Ｓ）１３３の挿入案内部１３２ｂ、１３３ｂに案内されながら進入していくこととなる。そして進入が進むと、Ｍカセット１０２は、Ｓカセットガイド（Ｓ）１２８とＳカセットガイド（Ｔ）１２９の前面方向に傾斜した傾斜案内面１２８ｂ、１２９ｂに当接する。
【００７１】
Ｍカセット１０２が当接すると、Ｓカセットガイド（Ｓ）１２８は、図１０に示すガイド軸１３０を中心にＰ方向の回動力を受ける。よって図６２にあるようにＳカセットガイド（Ｓ）１２８の溝部１２８ａから、アーム軸Ｓ（Ｓ）１４１にその力が伝達され、アーム軸Ｓ（Ｓ）１４１を植設しているスライド板Ｓ１３６を下降させようという力（Ｋ方向の力）となる。スライド板Ｓ１３６は、すでに説明したように、２本の傾斜溝１３６ａ、１３６ｂを介してスライド軸１３４、１３５に支持されているために、スライド軸１３５を中心にＰ方向の回転力が生じるが、傾斜溝１３６ａの端面がスライド軸１３４を押圧するだけで、スライドすることはない。それは、アーム軸Ｓ（Ｓ）１４１の位置が、２本の傾斜溝１３６ａ、１３６ｂ間よりも外にある事と、傾斜溝１３６ａとスライド軸１３４の圧力角が大きいからである。この様に、Ｓカセットガイド（Ｓ）１２８をどんなに強固に押圧してもＳカセットガイド（Ｓ）１２８は動かない。
【００７２】
しかし、Ｍカセット１０２は、Ｓカセットガイド（Ｓ）１２８と同時にＳカセットガイド（Ｔ）１２９の傾斜面１２９ｂもまた押圧し、Ｓカセットガイド（Ｔ）１２９をガイド軸１３０を中心にＲ方向に回動させる力を与える。この力は同様に溝部１２９ｂからアーム軸Ｓ（Ｔ）１４０を介してスライド板Ｓ１３６を下降させようという力（Ｋ方向の力）となる。しかしこの力もアーム軸Ｓ（Ｔ）１４０の位置が２本の傾斜溝１３６ａ、１３６ｂ間よりも外にあるために、単独ではスライド板Ｓ１３６を動かすことはできない。
【００７３】
前述のアーム軸Ｓ（Ｓ）１４１による下降させようとする力（Ｋ方向の力）との合力で、２本の傾斜溝１３６ａ、１３６ｂを挟んで両サイドから力が加わるために、スライド板Ｓ１３６は、傾斜溝１３６ａ、１３６ｂに沿って下降することが可能になる。結果、図１０に示すようにＳカセットガイド（Ｓ）１２８とＳカセットガイド（Ｔ）１２９は、Ｐ方向、Ｒ方向にそれぞれ回動して、Ｍカセット１０２の挿入が可能になる。Ｍカセット１０２をＭカセットガイド（Ｔ）１３２、Ｍカセットガイド（Ｓ）１３３の側面部に沿って案内されながらさらにＭカセット１０２を挿入していく。
【００７４】
そうすると、Ｍカセット１０２は、ブラインダパネル１１４に当接し、ブラインダパネル１１４を図３７と同様（図３７は、連結アーム２１４によって強制的に回動させられているが）パネル支軸１１４ａを中心にバネに抗してＭカセット１０２自身で回動させる。さらにＭカセット１０２を挿入していくと、ホルダー１１９に至り、図８の左右のＳホルダーガイド機構１２１にＭカセット１０２が当接する。
【００７５】
図２４に示すように、Ｓホルダーガイド（Ｔ）１９３の傾斜面１９３ｂが構成されているために、Ｍカセット１０２は、この傾斜面１９３ｂに容易に乗り上げることができる。その結果、図５（図２４のＪ方向から見た図）に示すようにＳホルダーガイド（Ｔ）１９３をＳリッドロック解除爪レバー１９４とともに反時計方向にＳガイドバネ２３７に抗して回動させる。こうして、Ｓホルダーガイド機構１２１がＭカセット１０２の挿入空間から退避する。供給リール側のＳカセット１０１の案内を行うＳホルダーガイド（Ｓ）２３６もまた同様に回動して退避させられる。
【００７６】
Ｍカセット１０２は、図８にあるＭホルダーガイド（Ｔ）１９６、Ｍホルダーガイド（Ｓ）２３５に案内されながらさらに挿入されていく。やがて、Ｍカセット１０２のフロントリッドの回動をロックしているリッドロック爪がＭリッドロック解除爪レバー１９７の爪部１９７ｂに当接する。図４でＬカセット１０１のフロントリッドロック爪１０４について説明したが、Ｍカセット１０２でも同様にフロントリッドロック爪がＭカセット１０２の側壁部に当接することによって、Ｍカセット１０２の進入方向の位置を決める構造となっている。
【００７７】
図６１は、図８の裏面図でＱ方向から見た図である。この図にあるようにつまり、Ｍカセット１０２をホルダー１１９に挿入をしていくと、Ｍリッドロック解除爪レバー１９７は、Ｍカセット１０２側のフロントリッドロック爪に押圧されて爪付勢バネ２３３に抗してＷ方向に移動する。同時にフロントリッドロック爪もまた内蔵するバネに抗してＷ方向とは逆方向に移動する。そしてＭリッドロック解除レバー１９７の当接部１９７ｃがＳ／Ｍ挿入検知レバー２３２の受け部２３２ａに当接、Ｓ／Ｍ挿入検知レバー２３２をＷ方向に移動させる。
【００７８】
Ｓ／Ｍ挿入検知レバー２３２の一部がホルダー１１９に設けられたＳガイド軸１９５の軸受け部１１９ｆ（図３２参照）に当接して移動は完了する。この結果、ホルダー１１９の軸受け部１１９ｆ、Ｓ／Ｍ挿入検知レバー２３２、受け部２３２ａ、当接部１９７ｃ、爪部１９７ｂ、フロントリッドロック爪、Ｍカセットの側壁部がお互いに当接して、ホルダー１１９に対するＭカセット１０２の進入が停止させられる。
【００７９】
この時に図６１に示すように、Ｓ／Ｍ挿入検知レバー２３２がＳ／Ｍ挿入検知スイッチ２００を遮蔽し発光された信号は受光素子には届かない。（以下受光が可能状態を信号でＨであると表現し、遮蔽されて受光が不可能な状態を信号でＬであると表現する）この信号Ｌを得てカセットが正しい位置まで挿入されたことを報知する。
【００８０】
Ｍカセット１０２が移動中に何らかの理由でホルダー１１９に対して後退した場合は、Ｓ／Ｍ挿入検知レバー２３２が追随して後退するため（Ｗと反対方向に移動）Ｓ／Ｍ挿入検知スイッチ２００の位置は遮蔽物がなくなり、信号がＬからＨに変わる。それで電気的に異常を判断してカセットを吐き出すなどの処置を取ることが可能である。
【００８１】
このＳ／Ｍ挿入検知スイッチ２００は、巻き取りリール側（図２４）供給リール側（図６１）の両スイッチが信号Ｌと判断されたときにＳカセット１０３、Ｍカセット１０２がホルダー１１９に対して記録再生位置に移動させるに必要な正しい位置にあるとの判断をするアルゴリズムとなっている。
【００８２】
このＭカセット１０２の挿入で、Ｍカセット１０２の上面部によりカセット押さえ機構１２７のカセット押さえ軸１７７が、図１９に示すように図示しないバネに抗してアーム支軸１７８を中心に回動させられ、結果Ｍカセット１０２をホルダー１１９の底面に対して弾性的に付勢する。
【００８３】
図３１はＬカセット１０１が挿入された場合の図であるが、Ｍカセット１０２が挿入されるとカセット押さえ軸１７７に構成されたＭ検出アーム１８７、Ｓ検出アーム１８８がＭカセット１０２の上面部によって図示しないバネに抗してＣ方向に回動させられ、Ｓカセット検知スイッチ１２４、Ｍカセット検知スイッチ１２５が信号Ｌとなる。
【００８４】
Ｌ検出アーム１８６は、Ｍカセット１０２の存在する空間外にあるために図２３の様には回動せず、Ｌカセット検知スイッチ１２６は信号Ｈである。このことで、挿入されたカセットがＭカセット１０２であることが電気的に確認される。この情報をもとに、リールモータをＭカセット１０２のリール位置に移動させるが、それは本発明に直接関係ないので説明を割愛する。
【００８５】
また、Ｍカセット１０２がホルダー１１９に対して最終位置まで挿入されると、図４２のカセット蹴り出し機構は、時計方向に付勢されていた遊星アーム２１６は、回転自在に支持している蹴り出しローラ２１８がＭカセット１０２のフロントリッドによってバネに抗して反時計方向に回動させられる。遊星アーム２１６の回動に連動して遊星ギア２２４、蹴り出しカム２１９が回動。さらに蹴り出しカム２１９のカム部２１９ｂが中継アーム２２２の突起部２２２ｃを押圧して反時計方向に回動させる。結果図４４及び図５９のようになる。図４３の斜視図で示すようにカム部２１９ｂと突起部２２２ｃが接している位相では、中継アーム２２２のカム部（Ｂ）２２２ｂと蹴り出しカム２１９のカム部２１９ａの略三角形状の突起形状は同一位相になるように構成されている。よって、図４１に示すカム部（Ｂ）２２２ｂのカム面Ａ２２２ｄとカム部２１９ａのカム面Ｂ２１９ｄは同一平面となる。
【００８６】
図４４に示す姿勢では、中継アーム２２２のカム部（Ｂ）２２２ｂが蹴り出しカムピン２２６に相対した位相となる。この状態で、モータ１１０に通電され、ホルダー１１９が進んでいくと中継アーム２２２のカム部（Ｂ）２２２ｂが蹴り出しカムピン２２６に当接し、中継アーム２２２は反時計方向にバネに抗して回動させられる。しかし、蹴り出しカム２１９には、係合しないので遊星アーム２１６も含めて図４４の姿勢の状態を維持したまま進んでいく。中継アーム２２２もさらに進んで蹴り出しカムピン２２６を完全に超えてしまうと、再びバネによって時計方向に回動して、図４４の位置関係に復帰する。
【００８７】
前述したＳ／Ｍ挿入検知スイッチ２００がＳ／Ｍ挿入検知レバー２３２によって信号がＨからＬに切り替わると、モータ１１０に通電されモータギア１６５、中継ギア１６６、カサ歯車（Ａ）１６７、カサ歯車（Ｂ）１６８、ウォーム歯車１４３へと回転力が伝達される。ウォーム歯車１４３の回転によって、これに噛み合うハスバラック１４５をＡ方向（図１５、図１８）に移動させる。ハスバラック１４５とともに、ハスバラック軸２３９を介してメインラック板（Ｓ）１４４も一体的にＡ方向に移動させる。
【００８８】
メインラック板（Ｓ）１４４に構成された軸受け１４８を介して同期軸１４７をもＡ方向に移動させる。メインラック板（Ｓ）１４４は、この同期軸１４７とラック板軸１５３が左側板１０８のスライド孔１０８ｂ、１０８ｃに係合しているのでそのスライド孔に沿って水平に（Ａ方向に）移動する。同期軸１４７は、差動ギア（Ｓ）１６１と固定ラック（Ｓ）１６３により回転しながらＡ方向へ進むことになり、いわゆる転動という動きをする。
【００８９】
このため、同期軸１４７を介して、差動ギア（Ｓ）１６１の相対した位置にある差動ギア（Ｔ）に回転力を伝達する。差動ギア（Ｔ）１６２と固定ラック（Ｔ）により、差動ギア（Ｔ）側もＡ方向に前進する推力を得る。これが、メインラック板（Ｔ）２３１をＡ方向に移動させる力となる。よって、メインラック板（Ｓ）１４４とメインラック板（Ｔ）２３１は、同期してＡ方向に進むことが可能となる。
【００９０】
メインラック板（Ｔ）２３１が少し進むと、その移動からブラインダ駆動レバー２１３を図３７のＥ方向に回動させる変位を得て、連結アーム２１４の駆動ピン部２１４ｂを時計方向に回動させる。ブラインダパネル１１４はＭカセット１０２によってすでに回動されているが、この駆動ピン部２１４ｂによってさらにブラインダパネル１１４をパネル支軸１１４ａを中心に回動させ、ブラインダパネル１１４はＭカセット１０２から離間して保持されることとなる。
【００９１】
Ｍカセット１０２が、Ｓカセットガイド（Ｓ）１２８とＳカセットガイド（Ｔ）１２９上を通過するとＳカセットガイド（Ｓ）１２８、Ｓカセットガイド（Ｔ）１２９を押圧する力がなくなり、図９に示すガイド軸１３０を中心にバネによりＤ方向、Ｆ方向にそれぞれ回動し、図９の状態に復帰する。
【００９２】
さらにメインラック板（Ｔ）２３１が進み、Ｍカセット１０２が完全にブラインダパネル１１４や挿入防止パネル２０４位置を通過した後、メインラック板（Ｔ）２３１の移動に連動して、図３５、図３６に示す駆動アーム２０７をＧ方向とは逆方向の反時計方向に回動させる。それによって、駆動ピン２０８によるパネル駆動レバー２０６のＧ方向への回動付勢力が開放され、パネル駆動レバー２０６は、図示しないバネによってＺ方向に回動させられる。パネル駆動軸２１１によって挿入防止パネル２０４は上方へ移動させられ、挿入防止パネル２０４の一端がパネルガイドプレート２０５に当接して弾性的に付勢された状態で保持される。図では、補助ブラインダ１１５と挿入防止パネル２０４が接触しているが、この時点ではまだブラインダパネル１１４は、開放されているために図３７のような関係にあり干渉は起きていない。
【００９３】
図５６の寸法Ｒだけメインラック板（Ｓ）１４４が進んだ水平移動完了ポイントでは、Ｍカセット１０２とカセット蹴り出し機構は図６０の位置になる。この位置からＭカセットは下降し、カセット蹴り出し機構はさらに水平方向に進むので、Ｍカセット１０２のフロントリッドと蹴り出しローラの係合は外れることとなる。そこで、図６０に示すように、カセット蹴り出し機構は、天板１０９に設けた退避カム２２７を利用して自分自身で姿勢を保持する工夫が設けられている。
【００９４】
この機構を説明する。図４７と図４８が、図６０の位相での供給リール側のカセット蹴り出し機構の拡大図である。この姿勢では、中継アーム２２２のカム部（Ｂ）２２２ｂと蹴り出しカム２１９のカム部２１９ａが退避カム２２７のカム面（Ｂ）２２７ｂに対峙した位置にあり、このままメインラック板（Ｓ）１４４がさらに進むと、カム部（Ｂ）２２２ｂとカム部２１９ａが退避カム２２７のカム面（Ｂ）２２７ｂに係合して、中継アーム２２２と蹴り出しカム２１９を反時計方向にバネに抗して回動させる。
【００９５】
その結果蹴り出しカム２１９の回動で遊星ギア２２４及び遊星アームも反時計方向に回動し、Ｍカセット１０２のフロントリッドから蹴り出しローラ２１８は離間し、Ｍカセット１０２が下降するにあたり障害でなくなる。図４９、図５１が最終位置におけるカセット蹴り出し機構である。カム部（Ｂ）２２２ｂとカム部２１９ａは、退避カム２２７の傾斜したカム面（Ｂ）２２７ｂを超えて水平なカム面（Ａ）に制御されて姿勢を保持されている。
【００９６】
ここでは、退避カム２２７は、蹴り出しカム２１９及び中継アーム２２２の両方に係合するカムとしたが、蹴り出しカム２１９のカム部２１９ａに係合できれば、蹴り出しカム２１９の当接部２１９ｂが中継アーム２２２の突起部２２２ｃに係合して反時計方向に回動するので結果としては同じになる。よって退避カム２２７は蹴り出しカム２１９にさえ係合できればよい。
【００９７】
連結アーム２１４にてカセット挿入空間から退避させられた位置に保持されていたブラインダパネル１１４は、水平移動完了ポイント前後で再びカセット開口部を覆う位置に復帰する。それはブラインダ駆動レバー２１３が駆動機構によって時計方向に回動させられて、連結アーム２１４を押圧することがなくなり、ブラインダパネル１１４は、バネによって時計方向に回動、カセット開口部を覆う図３６の姿勢に復帰する。
【００９８】
なお、この時に補助ブラインダ１１５は、挿入防止パネル２０４が図３５、図３６のようにバネで上方に付勢されているために、挿入防止パネル２０４に当接した位置で停止する。この状態をフロントパネル１１３の前面から見ると図３４となる。カセット開口部はブラインダパネル１１４と挿入防止パネル２０４、Ｓカセットガイド（Ｓ）１２８、Ｓカセットガイド（Ｔ）１２９、Ｍカセットガイド（Ｓ）１３３、Ｍカセットガイド（Ｔ）１３２によって覆われている。
【００９９】
図５６に示すメインラック板（Ｓ）１４４が寸法Ｒだけ進んだ後、さらに進むと、ホルダー軸カラー１５９は、左側板１０８のＬ字溝１０８ａの水平溝１０８ｅを超えて垂直溝１０８ｄに至る。この垂直溝１０８ｄに沿って降下し始める。図５７の如くメインラック板（Ｓ）１４４には、傾斜溝（Ｒ）１４４ｂが形成されており、この溝にホルダー軸カラー１５８が係合しているので、メインラック板（Ｓ）１４４に対しては、この傾斜溝（Ｒ）１４４ｂに沿って降下することとなる。
【０１００】
この降下に合わせて、ホルダー軸カラー１５６も傾斜溝（Ｆ）１４４ａに沿って降下する。この時に傾斜溝（Ｒ）１４４ｂと傾斜溝（Ｆ）１４４ａは平行な傾斜溝なので、ホルダー１１９は平行な姿勢を維持して降下する。
【０１０１】
やがて、傾斜溝（Ｒ）１４４ｂを超えると水平な溝である圧着溝１４４ｃに至る。この圧着溝１４４ｃの高さ方向の位置は、ホルダー１１９も垂直移動ストロークよりも大きくしてある。Ｍカセット１０２は、図示しない高さ受けピンで高さが決まるとそれ以上は降下ができない。さらにホルダー１１９だけ降下していくとＭカセット１０２の上面を押圧しているカセット押さえ軸１７７が、図１９に示すホルダー天面部１１９ｈに当接してそれ以上降下はできなくなる。
【０１０２】
つまりＭカセット１０２の降下ストロークよりも若干ホルダー１１９のストロークの方が大きくしてあるが、そのホルダー１１９の垂直ストロークよりも圧着溝１４４ｃの位置を下げてある。よってホルダー１１９は停止した後、ホルダー軸カラー１５８が圧着溝１４４ｃに沿って押し下げられるので、ホルダー軸カラー１５８を支持しているホルダー軸Ａ１５０も降下し、ホルダー軸Ａ１５０を植設している圧着板１５４は、ボスＡ１５０を中心に反時計方向に回動する。その事で、圧着バネ１６０が引き伸ばされ、ホルダー１１９を下方に圧接させる。
【０１０３】
この圧接力は、ホルダー１１９からカセット押さえ軸１７１を介してＭカセット１０２をより強固に高さ決めピンに圧接させる力となる。こうして、Ｍカセット１０２は記録再生可能な位置に位置決めされる。この位置決め完了位置では、図１２の如く配置となる。同期軸１４７は、ホルダー１１９が水平に移動する必要なストロークと、傾斜溝（Ｒ）１４４ｂ及び圧着溝１４４ｃに沿って移動するに必要なストロークを加えたストロークだけ前方に移動する。
【０１０４】
Ｍカセット１０２が、記録再生可能な位置にある時には、図３４、図３６の如く、カセット開口部はブラインダパネル１１４と挿入防止パネル２０４、Ｓカセットガイド（Ｓ）１２８、Ｓカセットガイド（Ｔ）１２９、Ｍカセットガイド（Ｓ）１３３、Ｍカセットガイド（Ｔ）１３２によって覆われている。
【０１０５】
そこで、例えばこのときにＳカセット１０３をカセット開口部から挿入しようとすることを考えて見る。Ｓカセットガイド（Ｓ）１２８、Ｓカセットガイド（Ｔ）１２９は、すでに説明したように単独では動かない機構になっているために、Ｓカセット１０３を本来のＳカセット１０３挿入範囲内であるＧ１から外れた位置で挿入することはできない。Ｓカセット１０３をその本来の位置であるＧ１の範囲で挿入すると、図３９に示すように挿入防止パネル２０４に当接する。挿入防止パネル２０４は、パネルガイドプレート２０５にガイドされバネにより上方に付勢されているという簡単な構造であるが、図３５のＦ方向からＳカセット１０３挿入の力を受けても、挿入防止パネル２０４は、下降することはない。
【０１０６】
また、Ｓカセット１０３を側面から挿入しようとしてもこの挿入防止パネル２０４は中央に位置しているために同じように侵入は許されない。このように最も小さいＳカセット１０３をいずれの姿勢でも挿入することはできない。
【０１０７】
挿入防止パネル２０４は、単に上方にバネ付勢しているだけなので、ユーザーが挿入防止パネル２０４を上方から押さえれば簡単に下げることができる。さらにブラインダパネル１１４もまたバネ付勢されているだけなので、簡単に開放させることができる。つまり、ユーザーが望めば、簡単にカセット開口部は開放させることができる。そして、開放させて、その開口部から覗き込むと図５５に示すように確認ミラー２２９で記録再生中のカセットのラベルを見ることができる。しかもその像は反射ミラー２２８からの折り返しであるために実像となって見える。つまりラベルに書いた文字をそのまま読めるのである。こうして、今再生中のカセットが何なのかを簡単に確認することができる。
【０１０８】
カセット取り出し指令が発せられると、モータ１１０が逆に回転して、歯車機構１１１を介してウォーム歯車１４３を回転させ、ハスバラック１４５を図１８の矢印Ａとは逆方向に移動させる。こうして、ホルダー１１９は左側板１０８のＬ字溝に沿って上昇を開始する。それと連動してカセット蹴り出し機構の遊星アーム２１６が退避カム２２７に沿って時計方向に回動しながら後退してくる。上昇動作が完了して水平動作に移るときに遊星アーム２１６は、退避アーム２２７から離れて、バネ力により蹴り出しローラ２１８がＭカセット１０２のフロントリッドに当接して位置が決まる。
【０１０９】
この上昇動作では、図６４に示すように、左側板１０８の垂直溝１０８ｄの端面部側圧とメインラック板（Ｓ）１４４の傾斜溝（Ｒ）１４４ｂの側面部の側圧に挟まれて上昇していく。この時に傾斜溝（Ｒ）１４４ｂはＰ方向に進行しホルダー軸カラー１５８、１５９にはホルダー１１９の重量Ｗが作用しているので、傾斜溝（Ｒ）１４４ｂとホルダー軸カラー１５８はＣ１の位置で接しホルダー軸カラー１５８には、Ｎ方向の力が働く。一方左側板１０８の垂直溝１０８ｄとホルダー軸カラー１５９はＣ２の位置で接しホルダー軸カラー１５９にはＦの方向の力が加わる。Ｃ１、Ｃ２の接線の角度θは鋭角になっており、非常に負荷が大きくなる構成である。そしてＣ１の接点ではＡ方向の回転力が、Ｃ２の接点ではＡとは逆のＢ方向の回転力が生じてしまうが、すでに説明したようにこの２つの溝にはホルダー軸カラー１５８、１５９と独立のローラを配しているので、ホルダー軸カラー１５８にはＡ方向の回転力が、ホルダー軸カラー１５９にはＢ方向の回転力が働き、それぞれ独立に回転して負荷を減らすことができる。
【０１１０】
上昇動作を完了し、水平動作に入る前後で、ブラインダパネル１１４を再び、図３７に示すように連結アーム２１４により強制的に開放させる。その状態で、ホルダー１１９を水平移動させて、後退させていく。やがて、Ｍカセット１０２の背面がＳカセットガイド（Ｓ）１２８、Ｓカセットガイド（Ｔ）１２９の背面ガイド部１２８ｃ、１２９ｃに当接する。最初にＭカセット１０２を挿入したときと同じ原理で、Ｍカセット１０２が同時にＳカセットガイド（Ｓ）１２８とＳカセットガイド（Ｔ）１２９を押圧すると、ガイド軸１３０を中心に回動して降下しＭカセット１０２の移動空間外に退避する。その降下したＳカセットガイド機構１１６の上面を通過中にカセット蹴り出し機構が動作する。
【０１１１】
図４４は、Ｍカセット１０２を挿入完了の位置として説明してきたが、この図を使って蹴りだしの動作を説明する。Ｍカセット１０２とホルダー１１９の位置はホルダーが移動している間はＭカセット１０２を挿入した時から変化がないため、Ｍカセット１０２がＳカセットガイド機構１１６を通過する、ほぼ取り出し操作完了近くでも図４４の位置関係と同じである。ただしカセット蹴り出し機構の位置は異なる。カセットを挿入する時は、カセット蹴り出し機構は、蹴り出しカムピン２２６よりも手前にあるが、今から説明するカセット蹴り出し動作前は、蹴り出し機構は、蹴り出しカムピン２２６よりも奥に位置している。よって便宜上図４４では、蹴り出しカムピン２２６を２２６ａの位置として説明する。
【０１１２】
この蹴り出しカムピン２２６ａに対して中継アーム２２２のカム部（Ｂ）２２２ｂと蹴り出しカム２１９のカム部２１９ａが相対している。このままさらにホルダー１１９がＴ方向に進んでいくと、カム部（Ｂ）２２２ｂのカム面Ｂ２２２ｅ（図４３、図４１）に蹴り出しカムピン２２６ａが当接。さらにホルダー１１９が進むと、中継アーム２２２を時計方向に回転させる。その中継アーム２２２の回転は、突起部２２２ｃが蹴り出しカム２１９の当接部２１９ｂを押圧して、蹴り出しカム２１９を一体的に時計方向に回動させる。
【０１１３】
この蹴り出しカム２１９の回動で、遊星ギア２２４と遊星アーム２１６を時計方向に回動させる。そして、カム部（Ｂ）２２２ｂが蹴り出しカム２１９を超えて離間したときに図４２に示すように遊星アーム２１６は所定角度回動し、蹴り出しローラ２１８はＭカセット１０２のフロントリッドを押圧してＭカセット１０２をホルダー１１９に対して一定量（図１での１４ｍｍ）相対的に蹴りだすことができる。この図４２の位置がカセット取り出し動作完了の位置である。この位置を電気的に検出してモータは通電を停止し、駆動機構は停止する。
【０１１４】
また、この蹴り出しによってＭカセット１０２は、ホルダー１１９と相対的に移動をするので、Ｍカセット１０２のフロントリッドロック爪がＭリッドロック解除レバー１９７の爪部１９７ｂと離間し、フロントリッドロック爪はＭカセット１０２のフロントリッドをロックする。そしてＭリッドロック解除レバー１９７は爪付勢バネ２３３によって後退し、Ｓ／Ｍ挿入検知レバー２３２もまた後退しＳ／Ｍ挿入検知スイッチ２００は信号がＬからＨに変わる。これでカセット取り出しの全ての動作が完了する。
【０１１５】
Ｓカセット１０３を挿入した場合は、Ｍカセット１０２を挿入した場合と多くは共通の動作となる。以下異なる点だけ列挙する。
（１）Ｓカセットガイド機構１１６は、動作せず、Ｓカセットガイド（Ｓ）１２８、Ｓカセットガイド（Ｔ）１２９にガイドされつつ侵入する
（２）ホルダー１１９のＳホルダーガイド機構１２１も動作せず、Ｓホルダーガイド（Ｔ）１９３とＳホルダーガイド（Ｓ）２３６にガイドされつつ侵入する
（３）Ｓカセット１０３のフロントリッドロック爪に係合してＳリッドロック解除爪レバー１９４が後退して、所定位置で位置決めされる
（４）Ｓ検出アーム１８８のみ動作して、Ｓカセット検知スイッチ１２４のみ信号はＬとなる。Ｓカセット１０３であることを報知する
次に最も大きなカセットであるＬカセット１０１を挿入した場合について説明をする。これについても基本的な動作は、Ｍカセット１０２の場合と同じであるが、重複を避けるために、異なる部分を中心に説明を進める。
【０１１６】
まず、Ｌカセット１０１をカセット開口部に挿入する。Ｌカセットは、図７のＧ３に相当する幅を有しているので、Ｓカセットガイド機構１１６、Ｍカセットガイド機構１１７をも含んでしまう。Ｓカセットガイド（Ｔ）１２９よりもＭカセットガイド（Ｔ）１３２のほうが手前に位置しているので、まずＭカセットガイド（Ｔ）１３２の傾斜案内面１３２ｃと、Ｍカセットガイド（Ｓ）１３３の傾斜案内面１３３ｃに当接、Ｍカセットガイド（Ｔ）１３２とＭカセットガイド（Ｓ）１３３を下降させようとする。Ｍカセット１０２挿入時のＳカセットガイド機構１１６の動作を説明したが、Ｍカセットガイド機構１１７も全く同じ構成なので、同時にＭカセットガイド（Ｔ）１３２とＭカセットガイド（Ｓ）１３３に力が加われば、容易にＭカセットガイド（Ｔ）１３２とＭカセットガイド（Ｓ）１３３は下降し、Ｌカセット１０１の挿入空間から退避する。
【０１１７】
このときにスライド板Ｍ１３７は、スライド軸１３４、１３５にガイドされて斜めに降下していくが、スライド板Ｍ１３７の下端面１３７ｃが、スライド板（Ｓ）１３６に設けられた係合部１３６ｃ、１３６ｄ（図１０、図６２）に係合して、スライド板（Ｓ）１３６を一体的に降下させる。よって、Ｓカセットガイド（Ｓ）１２８、Ｓカセットガイド（Ｔ）１２９は、スライド板（Ｓ）１３６の降下に連動してガイド軸１３０を中心に回動、図１１の如くＬカセット１０１の侵入空間から退避する。Ｌカセット１０１は、フロントパネル１１３の側壁面１１３ｃに案内されて侵入していく。
【０１１８】
さらにブラインダパネル１１４も回動させて、ホルダー１１９に至る。ホルダー１１９にある、Ｓホルダーガイド（Ｔ）１９３、Ｍホルダーガイド（Ｔ）１９６の傾斜面１９３ｂ、１９６ｂに乗り上げ、Ｓホルダーガイド（Ｔ）１９３、Ｍホルダーガイド（Ｔ）１９６を図２４で反時計方向に回動させる。
【０１１９】
さらにＬカセット１０１を挿入させていくと、Ｌカセット１０１のフロントリッドロック爪１０４がＬリッドロック解除爪レバー１９１のロック解除爪１９１ｄに当接。ロック解除爪１９１ｄを解除爪バネ１９０に抗して後退させる。さらに進むとロック解除爪１９１ｄは、ホルダー１１９に形成された爪逃げ孔１１９ｃの端面部１１９ｋに当接してＬカセット１０１の挿入は完了する。（図２９、図６３）この時には、Ｍカセット１０２の場合と同様、フロントリッドロック爪１０４が解除爪１０６（ロック解除爪１９１ｄ）に押されて側壁部１０１ｆに当接してＬカセット１０１の進入方向の位置が規制される。
【０１２０】
図２８は、図２７の裏面図であるが、Ｌリッドロック解除爪レバー１９１には、Ｌ挿入検知スイッチ１９２の受発光の光路間を通る第１の遮蔽部１９１ａと通過部１９１ｂと第２の遮蔽部１９１ｃがある。カセット未挿入では図２８に示す通り通過部１９１ｂがＬ挿入検知スイッチ１９２に相対しているため、信号はＨとなる。この状態からＬカセット１０１が挿入されてＬリッドロック解除爪レバー１９１が後退するとＬ挿入検知スイッチ１９２の位置にはＬリッドロック解除爪レバー１９１の第２の遮蔽部１９１ｃが位置し、信号Ｌを得る。この信号で、Ｌカセット１０１が正しい位置にあることを報知し、モータに通電の指令を発する。
【０１２１】
Ｌカセット１０１が移動中に何らかの理由でホルダー１１９に対して後退した場合は、Ｌリッドロック解除爪レバー１９１が追随して後退するため（Ｒ方向に移動）Ｌ挿入検知スイッチ１９２の位置は通過部１９１ｂとなり、信号がＬからＨに変わる。それで電気的に異常を判断してカセットを吐き出すなどの処置を取ることが可能である。
【０１２２】
Ｌカセット１０１の天面にカセット押さえ軸１７７が作用して、Ｌカセット１０１をホルダー１１９に押し付けている。さらに、図３０及び図３１にあるようにこのカセット押さえ軸１７７に設けられたＬ検出アーム１８６、Ｍ検出アーム１８７、Ｓ検出アーム１８８はすべて回動しＬカセット検知スイッチ１２６、Ｍカセット検知スイッチ１２５、Ｓカセット検知スイッチ１２４は、信号がＨからＬに切り替わる。この情報で挿入されたカセットがＬカセットであることが電気的にわかる。
【０１２３】
図２３に示すようにＬカセット１０１のＬリッドロック解除爪レバー１９１のロック解除爪１９１ｄはＭリッドロック解除爪レバー１９７の爪部１９７ｂよりも前方にあるため、Ｌカセット１０１は、Ｍカセット１０２よりも前方にまで挿入ができる。その差は、図１における図（ａ）の位置関係である。Ｍカセット１０２とＬカセット１０１はカセット奥行きの差が２３ｍｍあるにも関わらずカセットをホルダー１１９に挿入した状態では、カセットの背面は相対的に２．５ｍｍとほぼ同じ位置となるまでＬカセット１０１がＭカセット１０２よりもたくさん挿入されていることがわかる。この差がほぼそれぞれのリッドロック解除爪の位置差である。
【０１２４】
カセットの挿入量が異なれば、カセット蹴り出し機構のアームの位置も異なってくる。図４２の状態にあったカセット蹴り出し機構は、Ｌカセット１０１が挿入されると図４６のような姿勢まで回動させられる。この姿勢では、中継アーム２２２のカム部（Ａ）２２２ａが蹴り出しカムピン２２６に相対した位相となる。この状態で、モータ１１０に通電され、ホルダー１１９が進んでいくと中継アーム２２２のカム部（Ａ）２２２ａが蹴り出しカムピン２２６に当接し、中継アーム２２２は反時計方向にバネに抗して回動させられる。しかし、蹴り出しカム２１９には、係合しないので遊星アーム２１６も含めて図５３に示すように図４６の姿勢の状態を維持したまま進んでいく。中継アーム２２２も図５３からさらに進んで蹴り出しカムピン２２６を完全に超えてしまうと、再びバネによって時計方向に回動して、図４６の位置関係に復帰する。
【０１２５】
その状態で、さらに水平移動を進めると、図２８、図２９のサブホルダープレート１８１の係止部１８１ａが右側板１０７や左側板１０８を固定している基板（図示せず）の一部のサブカセットキャリア停止手段であるホルダーストッパー２４０（図３０）に当接する。そのため、サブホルダー１８１はそれ以上の移動はできなくなる。サブホルダープレート１８１が停止後もホルダー１１９は水平移動を続ける。よって、サブホルダー１８１は２本のホルダーガイドピン１８９に案内されながら、その位置に停止してサブホルダーバネ１８０が引き伸ばされていく。
【０１２６】
このときに、サブホルダー１８１の後面部にはＬカセット１０１の底面部を支持する支持部１８１ｅがホルダー１１９の底面部より露出している。（図２７）その支持部１８１ｅがサブホルダー１８１の停止によりホルダー１１９から離間する。（図３２）こうして、支持部１８１ｅはホルダー１１９の後端面部１１９ｊより後方に下がった位置になる。この支持部１８１ｅは、水平移動中もさらにその後の垂直移動中もＬカセット１０１の底面部を支えてＬカセット１０１を水平に保つ役目を担う。
【０１２７】
図６３は、Ｌカセット１０１をホルダー１１９に完全に挿入を完了した断面を示すが、サブホルダー１８１が停止すると、爪規制孔１８１ｃの端面部１８１ｄが、ロック解除爪１９１ｄに当接しているのでロック解除爪、さらにＬカセット１０１のフロントリッドロック爪１０４及びＬカセット１０１本体をその位置に停止させる。この様に、ホルダー１１９は、図５６に示す左側板１０８Ｌ字溝１０８ａの水平溝１０８ｅの範囲は水平移動を続けるが、サブホルダー１８１はその中途で停止させるため、Ｌカセット１０１も水平移動の途中で停止させられる。
【０１２８】
こうして、ホルダー１１９が水平溝１０８ｅを移動完了した位置では、ホルダーとともに移動するＭカセット１０２のフロントリッドの前面部と途中で停止させられたＬカセット１０１のフロントリッドの前面部はほぼ同一面となる。図１で説明すると、Ｍカセット１０２は、ホルダー１１９とともにストロークＡだけ移動する。Ｌカセット１０１は、ストロークＢだけ移動したところで、停止させられる。よって、Ｍカセット１０２がストロークＡを移動完了した時には図１（ｃ）の様になる。最初にユーザーがＬカセット１０１をＭカセット１０２よりも多く挿入したその差だけ、Ｌカセット１０１を停止させるという考え方である。
【０１２９】
この時には、図３２に示すように、Ｌ挿入検知スイッチ１９２は、第１の遮蔽部で光路が遮蔽され信号はＬとなっている。この後の垂直移動中にＬカセット１
０１が何らかの理由でホルダー１１９に対して後退した場合は、Ｌリッドロック
解除爪レバー１９１が解除爪バネ１９０によって追随して後退するため（Ｒ方向
に移動）Ｌ挿入検知スイッチ１９２の位置には遮蔽物がなくなり、信号がＬからＨに変わる。それで電気的に異常を判断してカセットを吐き出すなどの処置を取ることが可能である。
【０１３０】
このＬカセット１０１の停止により、カセット蹴り出し機構は、図４６の位相から図４４の位相に変化する。カセット蹴り出し機構は、メインラック板（Ｓ）１４４、メインラック板（Ｔ）２３１と一体的な蹴り出しプレート１７５に設けられているので、Ｌカセット１０１が停止した後もホルダー１１９と一体的に水平移動を行う。よって、Ｌカセット１０１が停止すると遊星アーム２１６は、時計方向に回動して最終Ｍカセット１０２の場合と同じく図４４の姿勢となる。この後、ホルダー１１９が垂直移動に移ると、サブホルダープレート１８１の係止部１８１ａはホルダーストッパー２４０に当接したまま摺動しながら下降していく。その後、Ｌカセット１０１を高さ決めピンに圧着させる動作は、Ｍカセット１０２と同じなので、割愛する。
【０１３１】
図５０は、Ｌカセット１０１が記録再生位置に位置決めされたことを示す側面図であるが、蹴り出しローラ２１８を当接させていたフロントリッド１０５は、蹴り出しローラ２１８から離間しかつ、フロントリッド１０５は蓋開放手段（図示せず）によって開放され、遊星アーム２１６の位置を制御することは不可能であるが、図４７に示すように退避カム２２７に沿って、Ｌカセット１０１に依らず自分自身で遊星アーム２１７の姿勢を制御して最終下降完了位置では図４９に示すような姿勢で保持される。この自立姿勢制御機構によって、フロントリッドの開放の障害にならない。
【０１３２】
Ｌカセット１０１を位置決めピンに圧着するにあたり、カセット押さえ軸１７７だけでは、十分ではないので、補助押さえ機構を設けている。この機構について、以下説明する。Ｌカセット１０１を挿入する時には、図１６、図１７に示すように、メインラック板（Ｓ）１４４の補助押さえカムピン１７６と補助押さえバネ１７２によって補助押さえローラ１７０をカセット挿入空間外の高い位置に保持して、カセット挿入や取り出しの障害とならないように構成している。
【０１３３】
ホルダー１１９が水平移動区間中は、ホルダー１１９とメインラック板（Ｓ）の相対位置関係は変化がないので、この状態が保持される。垂直移動区間になると、ホルダー１１９は、メインラック板（Ｓ）１４４の傾斜溝（Ｆ）１４４ａと傾斜溝（Ｒ）１４４ｂに沿って下降してくるので、補助押さえカムピン１７６によって、補助押さえ基板１７３は、時計方向に回動する。その結果補助押さえ板１６９に設けられた補助押さえローラ１７０は、Ｌカセット１０１の上面に当接し、さらに補助押さえ基板１７３が回動することで、補助押さえバネ１７２が伸長して図２２のようになる。
【０１３４】
補助押さえ機構は、この様な回動機構をもうけていることで、カセットを取り出したり挿入したりする位置では、カセット押さえ軸１７７近傍に収納し、実際に動作するときはカセット押さえ軸１７７から離間した位置を押さえることができ、Ｌカセット１０１の特に背面側の浮きを防止して確実な圧着と位置決めを行うことができる。無論この補助押さえ機構は、巻き取りリール側にも同一の構成で設けてある。また圧着完了時には、連結軸１７４と補助押さえ軸１７１とを結ぶ線とカセット押圧方向Ｐが略９０度となっており、補助押さえバネ１７２の力を最も効果的にカセットを押圧することができる。なお、このカセット押さえローラ１７０は、Ｌカセット１０１の存在空間までしか延伸させていないので、Ｌカセット１０１のときのみカセット押圧が可能となっている。
【０１３５】
カセット取り出し指令が発せられた後の動作も基本的には、Ｍカセット１０２の場合と同じであるが、サブホルダー１８１関連とＬカセット１０１の動きが多少異なるのでその点を中心に説明する。
【０１３６】
垂直移動が完了して、水平動作に移ると、ホルダー１１９は水平溝１０８ｅに沿って後退をしていくが、サブホルダー１８１はサブホルダーバネ１８０によって、サブホルダーストッパー２４０に当接を続けるが、やがてサブホルダー１８１もホルダー１１９と一体になって後退をする。サブホルダー１８１にＬリッドロック解除レバー１９１はバネ付勢されかつ位置規制がされているために、Ｌリッドロック解除レバー１９１はサブホルダー１８１とともに停止した状態が一定区間続く。一方Ｌカセット１０１は、カセット押さえ軸１７７によってホルダー１１９に押圧されているため、その摩擦力でホルダー１１９とともに後退をする。よってＬカセット１０１のフロントリッドロック爪１０４とロック解除爪１９１ｄ間には相対的に距離ができる。
【０１３７】
やがて、Ｌカセット１０１は、その背面部が挿入防止パネル２０４に当接する。（図３９）Ｌカセット１０１は摩擦力で移送されていたので、ホルダー１１９はその後も水平移動を続けるが、Ｌカセット１０１はこの挿入防止パネル２０４によって一時停止させられる。図１で説明すると、垂直移動が完了した（ｃ）の図の位置から後退を開始し、Ｌカセット１０１は距離Ｄだけ後退した後、挿入防止パネル２０４によってＭカセット１０２が（ホルダー１１９が）距離Ｃだけ移動する時間だけ停止させられる。
【０１３８】
実質は距離Ｃの移動が完了する直前に駆動機構によって、駆動アーム２０７を時計方向に（Ｇ方向）回動、駆動ピン２０８を介してパネル駆動レバー２０６が反時計方向に（Ｚ方向と逆方向）回動する。それによって、挿入防止パネル２０４は下降して、Ｌカセット１０１の移動空間外に退避する。結果Ｌカセット１０１は再びホルダー１１９とともに後退を始める。
【０１３９】
やがて、Ｌカセット１０１の背面がＭカセットガイド（Ｓ）１３３、Ｍカセットガイド（Ｔ）１３２の背面ガイド部１３３ｃ、１３２ｃに当接する。最初にＬカセット１０１を挿入したときと同じ原理で、Ｌカセット１０１が同時にＭカセットガイド（Ｓ）１３３とＭカセットガイド（Ｔ）１３２を押圧すると、ガイド軸１３０を中心に回動して降下しＬカセット１０１の移動空間外に退避する。なお、連動してＳカセットガイド（Ｓ）１２８、Ｓカセットガイド（Ｔ）１２９も移動空間外に退避し、図１１の状態となる。その降下したＳカセットガイド機構１１６、Ｍカセットガイド機構１１７の上面を通過中にカセット蹴り出し機構が動作する。
【０１４０】
図４６は、Ｌカセット１０１を挿入完了の位置として説明してきたが、この図を使ってＬカセット１０１の蹴りだしの動作を説明する。Ｌカセット１０１とホルダー１１９の位置は移動中様々変化があるが、最終的には、挿入防止パネル２０４による一時停止により、最初にＬカセット１０１をホルダー１１９に挿入した状態に近い位置関係にある。よって、Ｌカセット１０１がＳカセットガイド機構１１６、Ｍカセットガイド機構１１７を通過する、ほぼ取り出し操作完了近くでも図４６の位置関係とほぼ同じと考えてよい。ただしカセット蹴り出し機構の位置は異なる。カセットを挿入する時は、カセット蹴り出し機構は、蹴り出しカムピン２２６よりも手前にあるが、今から説明するカセット蹴り出し動作前は、蹴り出し機構は、蹴り出しカムピン２２６よりも奥に位置している。よって便宜上図４６では、蹴り出しピン２２６を２２６ａの位置として説明する。
【０１４１】
この蹴り出しカムピン２２６ａに対して中継アーム２２２のカム部（Ａ）２２２ａが相対している。このままさらにホルダー１１９がＴ方向に進んでいくと、カム部（Ａ）２２２ａに蹴り出しカムピン２２６ａが当接。さらにホルダー１１９が進むと、中継アーム２２２を時計方向に回転させる。その中継アーム２２２の回転は、突起部２２２ｃが蹴り出しカム２１９の当接部２１９ｂを押圧して、蹴り出しカム２１９を一体的に時計方向に回動させる。
【０１４２】
この蹴り出しカム２１９の回動で、遊星ギア２２４と遊星アーム２１６を時計方向に回動させる。そして、カム部（Ａ）２２２ｃが蹴り出しカムピン２２６ａを超えて離間したときに図４４に示すように遊星アーム２１６は所定角度回動し、蹴り出しローラ２１８はＬカセット１０１のフロントリッドを押圧してＬカセット１０１をホルダー１１９に対して一定量（図１での１１．５ｍｍ）相対的に蹴りだすことができる。この図４５の位置がカセット取り出し動作完了の位置である。この位置を電気的に検出してモータは通電を停止し、駆動機構は停止する。
【０１４３】
また、この蹴り出しによってＬカセット１０１は、ホルダー１１９と相対的に移動をするので、Ｌカセット１０１のフロントリッドロック爪１０４がＬリッドロック解除レバー１９１のロック解除爪１９７ｄと離間し、フロントリッドロック爪１０４はＬカセット１０１のフロントリッド１０５をロックする。そしてＬリッドロック解除レバー１９１は解除爪バネ１９０によって後退し、Ｌ挿入検知スイッチ１９２は信号がＬからＨに変わる。（図２８）これでカセット取り出しの全ての動作が完了する。
【０１４４】
Ｌカセット１０１をユーザーがホルダー１１９から取り出すと、カセット蹴り出し機構は図４５から図４２の状態に変化する。
【０１４５】
【発明の効果】
以上のように本発明によれば、大型カセット（Ｌカセット）の挿入方向のストッパーとなる係止手段（Ｌリッドロック解除爪）を有したサブカセットキャリア（Ｌリッドロック解除爪レバー）が、小型カセット（ＳもしくはＭカセット）を保持するカセットキャリア（ホルダー）に対して相対的に移動可能に構成してあるので、ホルダーを直接に駆動して水平方向に一定量移動させたときに、Ｌリッドロック解除爪レバーは、何らかの手段により水平方向の移動ストロークを容易に変えることができる。
【０１４６】
つまりＬカセットとＭカセット（Ｓカセット）に任意の移動ストロークを簡単に与えることができるので、例えばサイズの大きなＬカセットの移動ストロークをＭカセットの移動ストロークよりも少なくして、実施例でも説明したようにカセット排出完了位置では、両カセットの背面部の位置をほぼ同等にできるほど大きな改善をすることができる。さらに言えば、ストロークを自由に設定できるわけだから、Ｌカセットの飛び出し量を実施例よりもさらに小さくしてＳカセットと同じにすることもできる。
【０１４７】
また、大型カセット（Ｌカセット）の挿入方向のストッパーとなる係止手段（Ｌリッドロック解除爪）を有したサブカセットキャリア（Ｌリッドロック解除爪レバー）が、小型カセット（ＳもしくはＭカセット）を保持するカセットキャリア（ホルダー）に対して相対的に移動可能でかつ、Ｌリッドロック解除爪レバーをサブカセットキャリア停止手段（ホルダーストッパ）で一時的に停止させることが可能に構成してあるので、Ｌカセットの水平方向の移動ストロークをＭ／Ｓカセットの水平移動ストロークよりも短くできるので、例えばＬカセットのホルダーへの最初の挿入長さを大きくすることで装置外に飛び出している長さを短くして取り出すに必要な最小の掴み代に設計することも容易である。
【０１４８】
さらに、ホルダーの下面にサブホルダーやＬリッドロック解除爪レバーを配したので、Ｌカセットは、カセット押さえ機構でホルダーの下面に押圧されており、基本的にはホルダーの摩擦力で移動することとなる。よって、カセット取り出しでの水平移動時におけるＬリッドロック解除爪レバーが停止している間でもＬカセットはホルダーと共に水平方向に移動してしまう。
【０１４９】
そのために挿入防止パネルでＬカセットを一時停止させていたが、Ｌリッドロック解除爪レバーやサブホルダーをホルダーよりも上面に配置すれば、カセット押圧機構はＬ押さえローラという回転体で押さえられているので、摩擦力からサブホルダーと一体的に動くこととなる。そうすれば、挿入防止パネルでＬカセットを一時的に停止させなくても、本実施例と同じく、Ｌカセットの排出時の飛び出し量は、Ｍカセットと同じになる。つまり、飛び出し量を減らす効果は、Ｌリッドロック解除爪レバーを水平移動中に一時的に停止させる機構で達成できるのである。
【０１５０】
また、大型カセット（Ｌカセット）の挿入方向のストッパーとなる係止手段（Ｌリッドロック解除爪）を有したサブカセットキャリア（Ｌリッドロック解除爪レバー）が、小型カセット（ＳもしくはＭカセット）を保持するカセットキャリア（ホルダー）に対して相対的に移動可能にし、Ｌリッドロック解除爪レバーをホルダーと一体的に水平方向に移動させる移動区間と、ホルダーは水平移動させつつもＬリッドロック解除爪レバーは停止している停止区間を設けた構成としたので、Ｌカセットが移動しているときのその速度は、他のカセット（ＭカセットやＳカセット）と同じ速度となる。ＭやＳカセットはホルダーと一体的に動くので駆動機構によるメインラック板の駆動速度で移動する。
【０１５１】
一方移動区間中は、メインホルダーもサブホルダー、Ｌリッドロック解除レバーも一体的に移動するので、Ｌカセットも他のカセットと同じ速度でフロントパネルから吸い込まれていく。もし、ホルダーに対して移動ストロークの短いサブホルダーを減速機構などで速度を落として別駆動させるとカセットによって吸い込まれる速度が異なるので不安感を与えるが、本実施例のように一体に動かす、一時停止させる方式であれば、ユーザーから見ればカセットの種別によらず動作に変化がなく安定した動作として信頼感を得ることができる。またこの様な機構は弾性部材と基板に固定されたストッパーで容易に構成できるので、設計も容易で動作の信頼性も高い。
【０１５２】
また、大型カセット（Ｌカセット）の挿入方向のストッパーとなる係止手段（Ｌリッドロック解除爪）を有したサブカセットキャリア（Ｌリッドロック解除爪レバー）と小型カセット（ＳもしくはＭカセット）を保持するカセットキャリア（ホルダー）とをそれぞれ弾性的に連結した中継部材（サブホルダー）という構成にしてあるので、サブホルダーを一時的に停止させるなど、ホルダーとＬカセットは相対的な移動が生じるとホルダーから見るとＬカセットの位置は定まらず、Ｌカセットが正しい位置にあるか否かを見極めるのは困難である。
【０１５３】
本実施例では、サブホルダーは、ホルダーに対してカセット挿入方向に弾性部材で付勢されて保持されている。さらにそのサブホルダーはＬリッドロック解除爪レバーを弾性部材でカセット排出方向に付勢している。この様にサブホルダーを媒介にＬリッドロック解除爪レバーとホルダーを弾性部材で連結しているため、サブホルダーが一時的に停止させられて、ホルダーとＬカセットの位置関係が変化してもサブホルダーとＬカセットの位置関係は変化がないので、そのサブホルダーに弾性付勢されたＬリッドロック解除爪レバーは、その弾性部材で常にＬカセットのフロントリッドロック爪を付勢しておくことができる。つまり、Ｌカセットがホルダーに対して相対的移動する構成下でもＬカセットが正しい位置にあるのか否かをチェックするのにこのＬリッドロック解除爪の位置情報を得ることで可能となる。
【０１５４】
さらに、大型カセット（Ｌカセット）の挿入方向のストッパーとなる係止手段（Ｌリッドロック解除爪）を有したサブカセットキャリア（Ｌリッドロック解除爪レバー）と、小型カセット（ＳもしくはＭカセット）を保持するカセットキャリア（ホルダー）とをそれぞれ弾性的に連結した中継部材（サブホルダー）という構成にしたので、相対移動をするＬカセットという状況下でもＬカセットの位置が最終的に位置決めするに十分な位置にあるか否かをチェックするのにこのＬリッドロック解除爪の位置情報を得ることで可能となる。そしてホルダーにカセット位置検知スイッチ（Ｌ挿入検知スイッチ）を搭載しているので、このスイッチでＬリッドロック解除爪の位置を検出すれば、カセット蹴り出し位置ではスイッチの信号をＨにし、Ｌカセットをユーザーが完全に挿入完了した位置ではＬとし、また一時停止後の垂直移動区間でもまたＬカセットが位置決めするに正しい位置であれば信号Ｌを出力することができる。常に正しい位置にあるかを相対移動するＬカセットについても検知することができる。
【０１５５】
さらに、大型カセット（Ｌカセット）の挿入方向のストッパーとなる係止手段（Ｌリッドロック解除爪）を有したサブカセットキャリア（Ｌリッドロック解除爪レバー）が、小型カセット（ＳもしくはＭカセット）を保持するカセットキャリア（ホルダー）に対して相対的に移動可能に構成し、Ｌリッドロック解除爪レバーを水平移動が完了した位置にて一時的に停止させるように構成したので、Ｌリッドロック解除爪レバーを停止させるには、ホルダーストッパーを基板に固定して設けるだけでよく、極めて簡単に構成できる。水平移動完了地点は記録再生可能位置の上方位置なので、すでにＬカセットはフロントパネルを越えて完全に装置の中である。
【０１５６】
つまり、ユーザーが目にするＬカセットが装置に吸い込まれるストローク範囲中は、ＭカセットやＳカセット同じ速度で移動するのでユーザーに無用の不安感を与えないですむ。
【０１５７】
また、大型カセット（Ｌカセット）の挿入方向のストッパーとなる係止手段（Ｌリッドロック解除爪）を有したサブカセットキャリア（Ｌリッドロック解除爪レバー）が、小型カセット（ＳもしくはＭカセット）を保持するカセットキャリア（ホルダー）に対して相対的に移動可能であり、カセットを装置に挿入したときにＬカセットの方がＭやＳカセットよりも挿入方向において前方に位置している構成としているので最も大きいＬカセットのホルダーでの保持長さが他のカセットよりも長くその分Ｌカセットを安定的にホルダーに保持することができる。
【０１５８】
図２３に示すように、ロック解除爪１９１ｄはＭカセットやＳカセットのリッドロック解除爪１９７ｂ、１９４よりも挿入方向においてかなり前方に位置している。図１の（ａ）に示す１０１ｃと１０２ｃの差だけ挿入量が異なる。それはほぼ奥行き方向のカセットサイズ差である。（寸法Ｃに相当）これだけたくさん挿入すると図２９にあるように、Ｌカセットはサブホルダーの存在する上面部のホルダー底面に挿入方向で長く受けていることとなる。
【０１５９】
つまり、Ｌカセットは、たくさん挿入することでホルダーに長いスパンで支持されているので、非常に安定した保持ができる。またカセット押さえ機構は、ＳカセットやＭカセットのフロントリッドが開放したときに干渉しない位置にしなければならないが、Ｌカセットは相当に前方に挿入しているので、Ｌカセットではカセットの中央に近い位置で押さえられており、これもまたＬカセットを安定に保持する効果を生んでいる。
【０１６０】
また、ユーザーが過大な力で強引にカセットを挿入方向に突っ込んだ場合の対策として、説明したようにハスバラックとラックバネでその力を弾性的に受けているが、カセットの装置外への飛び出し量が多ければ多いほどそのラックバネによる緩衝スパンを長くしなければならず、困難が伴うが、この様にＬカセットの飛び出し量が少なければそのスパンも少なくてすみ、設計が容易となる。また、飛び出し量が減少することは、図２５に示したカートマシンへの負担も少なく、小型なマシンを設計できる。
【０１６１】
また、大型カセット（Ｌカセット）の挿入方向のストッパーとなる係止手段（Ｌリッドロック解除爪）を有したサブカセットキャリア（Ｌリッドロック解除爪レバー）と小型カセット（ＳもしくはＭカセット）を保持するカセットキャリア（ホルダー）とをそれぞれ弾性的に連結した中継部材（サブホルダー）という構成で、サブホルダーがＬカセットの底面部を支持するので、相対移動が完了した後もＬカセットをカセット挿入方向において長いスパンで支持でき、カセットを装置に位置決めする垂直移動時の姿勢を水平に支えて、カセットの位置決めを容易にする。ホルダー１１９は後端面部１１９ｊの位置がＳカセットガイド機構、Ｍカセットガイド機構、フロントパネル等の関係から決まる。
【０１６２】
実施例で示した位置から伸ばすことは難しい。もしＬカセットが相対移動をしないならば、Ｌカセットはこのホルダー１１９の後端面部１１９ｊで受けることとなる。しかし相対移動をし、サブホルダーの支持部がその相対移動でその後端面部１１９ｊより延伸した位置で受けることが可能となるので、相対移動をしない方式よりもＬカセットを受ける範囲が長く、大きなＬカセットをより水平に保ちやすい。相対移動がなければ、サブホルダーの支持部の位置は受けることが不可能な位置なのである。
【図面の簡単な説明】
【図１】  本発明の実施形態におけるカセット移動説明図
【図２】  Ｓ、Ｍ、Ｌカセットの平面図
【図３】  Ｌカセットのリッドロック機構ロック状態図
【図４】  Ｌカセットのリッドロック機構ロック解除状態図
【図５】  Ｍカセット挿入時のホルダーガイド機構正面図
【図６】  カセットホルダー装置主要部の構成図
【図７】  カセット挿入開口部カセット未挿入状態図
【図８】  カセットホルダー外観図
【図９】  Ｓカセットガイド機構、Ｍカセットガイド機構構成図
【図１０】  Ｓカセットガイド機構、Ｍカセットガイド機構構成図
【図１１】  Ｓカセットガイド機構、Ｍカセットガイド機構構成図
【図１２】  カセットが記録再生可能位置にある位相でのカセットホルダー平面図
【図１３】  カセットホルダーガイド機構構成図
【図１４】  カセットホルダーガイド機構構成図
【図１５】  駆動機構の左側面サイドの構成図
【図１６】  カセット挿入時のカセット補助押圧機構構成図
【図１７】  カセット挿入時のカセット補助押圧機構構成図
【図１８】  左右同期をとる駆動機構構成図
【図１９】  カセット挿記録再生可能位置でのカセット補助押圧機構構成図
【図２０】  カセット挿記録再生可能位置でのカセット補助押圧機構構成図
【図２１】  左右のメインラック板構成図
【図２２】  カセット挿記録再生可能位置でのカセット補助押圧機構側面図
【図２３】  カセット未挿入でのＳ／Ｍホルダーガイド機構構成図
【図２４】  カセット未挿入でのＳ／Ｍホルダーガイド機構構成図
【図２５】  カセット移動軌跡説明図
【図２６】  カセット記録再生位置での装置側面図
【図２７】  カセット未挿入でのサブホルダー機構構成図
【図２８】  カセット未挿入でのサブホルダー機構構成図
【図２９】  Ｌカセット挿入完了時のサブホルダー機構構成図
【図３０】  水平移動完了時のサブホルダー機構構成図
【図３１】  水平移動完了時のサブホルダー機構構成図
【図３２】  水平移動完了時のサブホルダー機構構成図
【図３３】  Ｍカセットガイド機構正面図
【図３４】  カセットが記録再生可能位置にあるときのフロントパネル部の正面図
【図３５】  カセットが記録再生可能位置にあるときのフロントパネル部の構成図
【図３６】  カセットが記録再生可能位置にあるときのフロントパネル部の構成図
【図３７】  Ｌカセット排出時の一時停止中での挿入防止パネル構成図
【図３８】  カセット未挿入での挿入防止パネルと補助ブラインダ構成図
【図３９】  Ｌカセット排出時の一時停止中での挿入防止パネル構成図
【図４０】  カセット蹴り出し機構の構成図
【図４１】  カセット蹴り出し機構の構成図
【図４２】  カセット未挿入での蹴り出し機構平面図
【図４３】  Ｍカセット挿入完了時の蹴り出し機構構成図
【図４４】  Ｍカセット挿入完了時の蹴り出し機構構成図
【図４５】  Ｌカセット蹴り出し完了時の蹴り出し機構平面図
【図４６】  Ｌカセット挿入完了時（蹴り出し前）蹴り出し機構平面図
【図４７】  Ｌカセット水平移動完了時での蹴り出し機構平面図
【図４８】  Ｌカセット水平移動完了時での蹴り出し機構平面図
【図４９】  カセットが記録再生可能位置にあるときの蹴り出し機構構成図
【図５０】  カセットが記録再生可能位置にあるときの蹴り出し機構構成図
【図５１】  カセットが記録再生可能位置にあるときの蹴り出し機構構成図
【図５２】  中継アーム反転時の蹴り出し機構構成図
【図５３】  中継アーム反転時の蹴り出し機構構成図
【図５４】  カセットラベル視認機構構成図
【図５５】  カセットラベル視認機構構成図
【図５６】  カセット取り出し（未挿入）でのホルダーガイド機構側面図
【図５７】  カセット取り出し（未挿入）でのホルダーガイド機構側面図
【図５８】  ホルダーのガイド機構平面図
【図５９】  Ｍカセット挿入時の蹴り出し機構平面図
【図６０】  Ｍカセット水平移動完了時の蹴り出し機構平面図
【図６１】  Ｌカセット挿入完了時のサブホルダー機構構成図
【図６２】  Ｓカセットガイド機構構成図
【図６３】  ホルダーのガイド機構側面図
【図６４】  Ｌカセット挿入完了時のサブホルダー機構側面図
【図６５】  従来のカセットホルダー機構側面図
【符号の説明】
１０１  Ｌカセット
１０２  Ｍカセット
１０３  Ｓカセット
１１９  ホルダー
１２３  サブホルダー機構
１８１  サブホルダープレート
１９１  Ｌリッドロック解除爪レバー
１９１ｄ  ロック解除爪
１９２  Ｌ挿入検知スイッチ
【図１】
0004736258.tif 000002
【図２】
0004736258.tif 000003
【図３】
0004736258.tif 000004
【図４】
0004736258.tif 000005
【図５】
0004736258.tif 000006
【図６】
0004736258.tif 000007
【図７】
0004736258.tif 000008
【図８】
0004736258.tif 000009
【図９】
0004736258.tif 000010
【図１０】
0004736258.tif 000011
【図１１】
0004736258.tif 000012
【図１２】
0004736258.tif 000013
【図１３】
0004736258.tif 000014
【図１４】
0004736258.tif 000015
【図１５】
0004736258.tif 000016
【図１６】
0004736258.tif 000017
【図１７】
0004736258.tif 000018
【図１８】
0004736258.tif 000019
【図１９】
0004736258.tif 000020
【図２０】
0004736258.tif 000021
【図２１】
0004736258.tif 000022
【図２２】
0004736258.tif 000023
【図２３】
0004736258.tif 000024
【図２４】
0004736258.tif 000025
【図２５】
0004736258.tif 000026
【図２６】
0004736258.tif 000027
【図２７】
0004736258.tif 000028
【図２８】
0004736258.tif 000029
【図２９】
0004736258.tif 000030
【図３０】
0004736258.tif 000031
【図３１】
0004736258.tif 000032
【図３２】
0004736258.tif 000033
【図３３】
0004736258.tif 000034
【図３４】
0004736258.tif 000035
【図３５】
0004736258.tif 000036
【図３６】
0004736258.tif 000037
【図３７】
0004736258.tif 000038
【図３８】
0004736258.tif 000039
【図３９】
0004736258.tif 000040
【図４０】
0004736258.tif 000041
【図４１】
0004736258.tif 000042
【図４２】
0004736258.tif 000043
【図４３】
0004736258.tif 000044
【図４４】
0004736258.tif 000045
【図４５】
0004736258.tif 000046
【図４６】
0004736258.tif 000047
【図４７】
0004736258.tif 000048
【図４８】
0004736258.tif 000049
【図４９】
0004736258.tif 000050
【図５０】
0004736258.tif 000051
【図５１】
0004736258.tif 000052
【図５２】
0004736258.tif 000053
【図５３】
0004736258.tif 000054
【図５４】
0004736258.tif 000055
【図５５】
0004736258.tif 000056
【図５６】
0004736258.tif 000057
【図５７】
0004736258.tif 000058
【図５８】
0004736258.tif 000059
【図５９】
0004736258.tif 000060
【図６０】
0004736258.tif 000061
【図６１】
0004736258.tif 000062
【図６２】
0004736258.tif 000063
【図６３】
0004736258.tif 000064
【図６４】
0004736258.tif 000065
【図６５】
0004736258.tif 000066